(57)【要約】  複数の散水孔が長手方向に所定のパターンで形成された通水部を備え、前記通水部には、前記複数の散水孔として、前記灌水チューブが設置されて前記通水部の内部に通水されて膨らんでいる状態で、前記通水部の垂直断面の径方向に沿うように延びる垂直散水孔と、前記径方向に沿わないように延びる非垂直散水孔とが、所定の位置に形成されてなる灌水チューブ。
2016136988.tif 000002
【特許請求の範囲】
【請求項１】
灌水チューブであって、
前記灌水チューブは、地面から１３０ｃｍ以上の高さに設置されて使用されるものであり、
前記灌水チューブは、内部に水が通水されるように形成され、且つ、前記内部の水を外部に噴出させる複数の散水孔が長手方向に所定のパターンで形成された通水部を備え、
前記通水部は、前記複数の散水孔として、前記灌水チューブが設置されて前記通水部の内部に通水されて膨らんでいる状態で、前記通水部の垂直断面の径方向に沿うように延びているように形成された垂直散水孔と、前記径方向に沿わないように延びているように形成された非垂直散水孔とを有しており、
前記灌水チューブが設置されて前記通水部の内部に通水されて膨らんでいる状態で、前記通水部の垂直断面の中心を通るように水平方向に沿って、前記中心から離れる２つの方向のうちより多く散水される方向である主散水方向を正とするＸ軸、前記中心を通るように鉛直方向に沿って上方向を正とするＹ軸をとり、前記通水部における前記複数の散水孔が形成された位置をＸＹ直交座標で表すとき、
前記垂直散水孔は、前記垂直散水孔の外側開口の中心を通り且つ前記垂直断面の中心を通る第１の仮想線が、前記Ｘ軸の正方向に対して傾く角度αが−１０°以上４０°以下の範囲となる位置に配され、
前記非垂直散水孔は、前記非垂直散水孔の外側開口の中心を通り且つ前記垂直断面の中心を通る第２の仮想線が、前記Ｘ軸の正方向に対して傾く角度βが−１５０°以上−１０°以下の範囲となる位置に少なくとも配されてなる、灌水チューブ。
【請求項２】
前記ＸＹ直交座標の中心を軸として、前記Ｘ軸の正の側から前記Ｙ軸の正の側に向けて回転する方向を反時計回り、前記Ｙ軸の正の側から前記Ｘ軸の正の側に向けて回転する方向を時計回りとするとき、
前記灌水チューブが設置されて前記通水部の内部に通水されて膨らんでいる状態で、
前記非垂直散水孔が、前記角度βが−４０°以上−１０°以下の範囲となる位置に配されている場合には、前記第２の仮想線と前記通水部の中心を通って前記長手方向に延びる中心線とで形成される仮想平面に対して、前記非垂直散水孔の内側開口の中心が、前記ＸＹ直交座標の中心を軸とする反時計回りの側に位置するように、前記非垂直散水孔が形成されており、
前記非垂直散水孔が、前記角度βが−１５０°以上−９５°以下の範囲となる位置に配されている場合には、前記仮想平面に対して、前記非垂直散水孔の内側開口の中心が、前記ＸＹ直交座標の中心を軸とする時計回りの側に位置するように、前記非垂直散水孔が形成されている、請求項１に記載の灌水チューブ。
【請求項３】
前記灌水チューブが設置されて前記通水部の内部に通水されて膨らんでいる状態で、前記非垂直散水孔が、前記角度βが−１０°を超えて７０°以下の範囲に、さらに配されてなる、請求項１または２に記載の灌水チューブ。
【請求項４】
前記灌水チューブが設置されて前記通水部の内部に通水されて膨らんでいる状態で、前記通水部における前記Ｙ軸の正及び負の少なくとも一方側の表面から突出するフィン部をさらに備えた、請求項１〜３のいずれかに記載の灌水チューブ。
【請求項５】
前記灌水チューブが地面から１３０ｃｍ以上の高さに設置されたとき、前記灌水チューブの直下から前記主散水方向と反対方向に５０ｃｍ離れた位置までの間の地面における平均散水強度が、前記直下から前記主散水方向に１５０ｃｍ離れた位置までの間の地面における平均散水強度に対して５〜５０％となるように形成された、請求項１〜４のいずれかに記載の灌水チューブ。
【請求項６】
前記灌水チューブは、農業用ハウスに設置されて使用されるものである、請求項１〜５のいずれかに記載の灌水チューブ。
【請求項７】
前記灌水チューブは、前記農業用ハウスの壁部またはその近傍に配されて使用されるものである、請求項６に記載の灌水設備。
【請求項８】
前記農業用ハウスは、複数の棟が繋がってなり、
該複数の棟の連結部分またはその近傍に配されて使用されるものである、請求項６に記載の灌水チューブ。
【請求項９】
前記農業ハウスの互いに対向する端部に前記灌水チューブがそれぞれ設置されており、
前記所定のパターン内に、前記長手方向において前記垂直散水孔が少なくとも１つ、前記非垂直散水孔が前記垂直散水孔よりも多く配されており、
前記垂直散水孔の前記長手方向に沿った平均繰返し間隔をＭ１、前記非垂直散水孔の前記長手方向に沿った平均繰返し間隔をＭ２としたとき、下記数式（１）を満たす、請求項６〜８のいずれかに記載の灌水チューブ。
Ｍ１＞Ｍ２  ・・・・・（１）
【請求項１０】
請求項１〜９のいずれかに記載の灌水チューブを用いて灌水を行う、灌水方法。
【発明の詳細な説明】
【関連出願の相互参照】
【０００１】
本願は、２０１５年２月２６日出願の日本国特願２０１５−０３６７５６号の優先権を主張し、その内容は引用によって本願明細書の記載に組み込まれる。
【技術分野】
【０００２】
本発明は、灌水チューブ及び灌水方法に関する。
【背景技術】
【０００３】
従来、農業の施設園芸等においては、いわゆるビニールハウス等の農業用ハウスを用いて野菜等の栽培が行われている。かかる野菜の栽培等には、灌水作業が必要であり、かかる灌水作業では、チューブに複数の散水孔が形成されてなる灌水チューブを用いて土壌に水が散布されている。【０００４】
これらの灌水作業においては、極力広い面積を均一に灌水することが目的とされ、かつその際に付随する作業の手間が極力省かれることが、作業効率の観点から、望まれている。灌水チューブは、地上に該チューブを展開して注水するという目的が達成されれば、該チューブ内の水を抜き取った後、リール等に巻取られ、次の使用までコンパクトに保管できるという簡便性を有しており、この簡便性により農業等の分野で広く使用されている。一般に、灌水チューブは、地上に展開して使用されるが、より広い範囲への灌水のためハウスの支柱等を利用することにより、地上から少し浮かせた高さに灌水チューブが設置されて、上方に散水されるようにして使用されることもある。【０００５】
しかし、作物の植え替え等で畑が新たに耕される場合、耕運機や播種機など農業用機械が使用されるが、これらの使用に当たって、地上に展開された、または、ハウスの支柱を利用することにより少し浮いた状態で設置された灌水チューブは、農業用機械による耕作作業の障害になり、耕作面積の減少の原因にもなっている。また、連棟ハウスの支柱などに取り付けられた場合、灌水チューブが農業用機械の棟間の移動を阻害する要因になるという問題があり、また、通常、灌水チューブの主散水方向のみに散水されるため、棟の境界に位置する支柱付近の地面に灌水チューブが灌水できないため、この支柱付近の地面が利用されない、という問題がある。【０００６】
この種の灌水チューブとして、例えば、２つのシート部材が幅方向両端部において溶着されて、内部に通水されることによって円筒状となるように形成された灌水チューブであって、散水孔が形成された通水部と、上記幅方向両端部の溶着部分が外側に突出して構成された２つのフィン部とを備えた灌水チューブが提案されている（特許文献１、２参照）。【０００７】
特許文献１の灌水チューブでは、散水孔として、円筒状の通水部の垂直断面（軸方向と垂直な方向の断面）における半径方向に沿うように延びる垂直散水孔と、該半径方向に対して傾斜するように延びる非垂直散水孔とが形成されている。この灌水チューブは、２つのフィン部が水平方向に沿って位置するように設置されて使用される。そして、灌水チューブが地面に設置される場合には、上記２種類の散水孔が、いずれもフィン部よりも上方に配され、灌水チューブが天井に設置される場合には、上記２種類の散水孔が、いずれもフィン部よりも下方に配される。
この灌水チューブによれば、垂直散水孔によって遠くの場所に散水し、非垂直散水孔によって近くの場所を散水することが可能となる。【０００８】
一方、特許文献２の灌水チューブでは、散水孔として、円筒状の通水部の垂直断面における半径方向に対して傾斜するように延びる非垂直散水孔が形成されている。この灌水チューブは、２つのフィン部が鉛直方向に沿って位置するように設置されて使用される。このとき、上記非垂直散水孔が、下方のフィン部よりも上方のフィン部に近い位置に配される。
この灌水チューブによれば、非垂直散水孔によって、近くの場所に散水することが可能となる。
【先行技術文献】
【特許文献】
【０００９】
【特許文献１】日本国特開２０００−１７６３１９号公報
【特許文献２】日本国特開２００６−２９６３１０号公報
【発明の概要】
【発明が解決しようとする課題】
【００１０】
ここで、農業用ハウス内での灌水において、該ハウス内で機械などが使用される種々の農作業の障害にならず、且つ、該ハウス内のできるだけ広い土地への均一散水を実現するような散水を行うことによって、作業負荷の軽減と生産性向上を図ることが、要望されている。即ち、作業の邪魔にならない高さ以上の位置に灌水チューブを、設置することによって、広いハウス内への均等な散水を可能にすることが、要望されている。【００１１】
特許文献１の灌水チューブでは、水平方向に配された２つのフィン部よりも上方に垂直散水孔が配されている。この状態で、地上に置かれた１本の灌水チューブによって近距離から遠距離まで均等に灌水し、且つ、土壌に損傷を与えないレベルの小さい水滴を地上に落下させるためには、ハウスの屋根を超える高さまで水を打ち上げ、且つ、打ち上げてから水滴が分裂するまでの時間および距離を稼ぐ必要がある。このため、垂直散水孔のみではハウス内での使用が困難であると考えられている。そこで、水平方向に配された二つのフィン部よりも上方で、通水部に垂直散水孔と、水滴の分裂が比較的早く且つ短距離で起きる非垂直散水孔とを併用して穿孔することによって、前記目的をハウス内で達成することが可能となると考えられている。
また、特許文献１には、ハウスの両壁面に灌水チューブを設置した場合についても例示されている。しかし、この特許文献１では、垂直散水孔と非垂直散水孔の両方が上記２つのフィン部よりも上方に配されている。このため、非垂直散水孔から近くに散水することから、より上方に向けて水を噴出させる必要があり、天井に当たることを防ぐためには上方に十分な空間を設ける必要がある。特許文献１の図２１においても、チューブの設置位置は壁面高さの半分以下の位置であることが図示され、通常のハウスを想定すると、チューブの設置位置は１００ｃｍ以下、壁面が高い大型の連棟ハウスでも１２０ｃｍ未満であると考えられる。この高さは、農業機械等を使用した農作業を阻害する高さであるため、上記要望に応えることができない。【００１２】
さらに、特許文献１の灌水チューブを天井に設置した場合には、水平に置かれた二つのフィン部を対称軸として上下にひっくり返した配置になるため、垂直散水孔と非垂直散水孔が上記２つのフィン部よりも下方に配される。このため、灌水チューブから遠く離れた場所に散水することが困難となるだけでなく、散水領域が極端に狭く且つ垂直散水孔からの水滴粒子が大きく速度が速いため、地面に損傷を与えることになり、上記要望に応えることができない。【００１３】
一方、特許文献２の灌水チューブでは、垂直散水孔が形成されていないため、灌水チューブから遠く離れた場所に散水することが困難となる。また、鉛直方向に配された２つのフィン部のうち下方のフィン部よりも上方のフィン部に近い位置に非垂直散水孔が配さるため、ハウスの天井に水滴が当たらないようにするためのスペースを十分確保する必要があり、また、灌水チューブのより近く（直下付近）に散水することも困難となるため、上記要望に応えることができない。【００１４】
このように、特許文献１、２の灌水チューブを用いて散水する場合において、農作業を阻害しないように灌水チューブを高所に設置した場合、灌水チューブから遠くの場所と近くの場所との両方に適切に散水することが困難となる。特に、特許文献１、２の灌水チューブを農業用ハウスの壁部等に設置した場合には、例えばハウスの天井に水滴を衝突させずに該壁部と対向する他の壁部の近くといった遠い場所まで散水することが困難となり、また、灌水チューブが設置された壁部の近傍に散水することも困難となる。【００１５】
上記事情に鑑み、本発明は、灌水チューブを農作業の邪魔にならない高所に設置された場所から天井に水滴が当たることなく遠く離れた場所と、近くの場所との両方に、適切に散水可能な灌水チューブ及び灌水方法を提供することを課題とする。
【課題を解決するための手段】
【００１６】
上記課題を解決すべく、垂直散水孔と非垂直散水孔とについて本発明者らが鋭意研究したところ、特許文献１に開示された知見を基に、以下の詳細な知見を見出した。
すなわち、孔面積、穿孔位置、水圧等について同一散水条件で各孔から散水したとき、非垂直散水孔は、垂直散水孔よりも、等距離を飛行したときの水滴の粒子径が小さいという関係を有する。
また、垂直散水孔からの散水では、該垂直散水孔を通過するときの孔壁面との衝突が少ないため、垂直散水孔を通過した水は、水柱を形成して空中をしばらく飛行した後、水滴への分裂を開始する。これに対し、非垂直散水孔からの散水では、非垂直散水孔を通過した水は、水柱を形成して空中を飛行する時間が垂直散水孔の場合よりも早期に（短い飛行の後に）水滴に分裂するか、または、水柱がほとんど形成されない傾向にある。【００１７】
このような垂直散水孔と非垂直散水孔における、各孔からの水の噴出挙動の差異のメカニズムは定かではないが、そのメカニズムは、これらの孔形状の違いにより、各散水孔の通過時に発生する水流状態に違いが発生することによるものと推察される。灌水チューブの通水部に注水されると、通水部の内壁面（灌水チューブの長手方向）に対して垂直に水圧が作用するが、垂直散水孔では、この水圧の作用方向に対して、垂直散水孔の中心線が平行に近い。このことから、垂直散水孔では、灌水チューブの主流路（通水部の内部）から垂直散水孔に水が流れ込んだ後、水圧の作用方向と同じ方向に水が流れることになるため、水流が乱れることなく、空中に飛び出すことになると考えられる。【００１８】
これに対し、非垂直散水孔では、その孔形状等に起因して、孔の中心線が上記水圧の作用方向に対して傾斜しているため、孔を通過する際にその孔壁面との衝突によって、孔を通過する水の流れに強制的な変化が与えられる。これにより、乱流や流速分布の乱れが発生し、非垂直散水孔を通過した水が水柱を形成することができないか、または、水柱を形成したとしても、早期に分裂を開始することになると考えられる。また、２つの非垂直散水孔が互いに隣接し、しかも、各孔の中心線が交差するように配されている場合には（後述するＸ孔）、一方の孔を通過した水の流れと他方の孔を通過した水の流れとが衝突し、衝突が発生した付近から水滴の分裂が発生する。このため、この場合には、衝突が発生しない場合よりも、小さな粒径を有する微細な水滴が形成されることになる。【００１９】
一方、垂直散水孔及び非垂直散水孔を通過した水から水滴が形成されると、この水滴の飛行は空気抵抗を受けるため、その終端速度は、速度が粒子径の二乗に比例することを示すストークスの式に従うことが、一般に知られている。
ここで、上記の通り、非垂直散水孔から発生した水滴は、垂直散水孔から発生した水滴よりも粒子径が小さいため、終端速度が小さくなって、飛行距離が短くなる。このように、散水孔の形状と、水滴の飛行距離（すなわち、散水距離）とは密接な関係があり、水滴の粒子径が小さくなる非垂直散水孔は、飛行距離が短いことから中距離域・近距離領域の散水に適したものとなる。よって、非垂直散水孔では、灌水チューブから上方に噴出させなくても、１３０ｃｍ以上の高さから地面に向けて灌水した場合、土壌を損傷することなく広がった範囲に分散して着地することを見出した。一方、水滴の粒子径が大きくなる垂直散水孔は、飛行距離が長いことから長距離領域の散水に適したものとなる。垂直散水孔からの水滴が十分飛行しないまま着地した場合、質量が大きく速度も速いため大きな運動エネルギーを持っており、地表面に損傷を与え作物の根の掘り起しなど不具合が発生する。
また、通水部に形成される垂直散水孔及び非垂直散水孔の配置によって、これら散水孔から飛び出す水の飛行方向、滞空（飛行）時間が決定され、地面に着地する際の水滴の粒子径及び飛行速度に影響を与え、その結果、散水距離や散水領域の面積に重要な影響を与えることになる。【００２０】
上記知見に基づいて、本発明者らは鋭意研究を行い、通水部における垂直散水孔及び非垂直散水孔を所定の位置に配することによって、設置された場所から遠く離れた場所と、近くの場所との両方に適切に散水可能となることを見出し、本発明を完成するに至った。【００２１】
すなわち、本発明に係る灌水チューブは、
灌水チューブであって、
前記灌水チューブは、地面から１３０ｃｍ以上の高さに設置されて使用されるものであり、
前記灌水チューブは、内部に水が通水されるように形成され、且つ、前記内部の水を外部に噴出させる複数の散水孔が長手方向に所定のパターンで形成された通水部を備え、
前記通水部は、前記複数の散水孔として、前記灌水チューブが設置されて前記通水部の内部に通水されて膨らんでいる状態で、前記通水部の垂直断面の径方向に沿うように延びているように形成された垂直散水孔と、前記径方向に沿わないように延びているように形成された非垂直散水孔とを有しており、
前記灌水チューブが設置されて前記通水部の内部に通水されて膨らんでいる状態で、前記通水部の垂直断面の中心を通るように水平方向に沿って、前記中心から離れる２つの方向のうちより多く散水される方向である主散水方向を正とするＸ軸、前記中心を通るように鉛直方向に沿って上方向を正とするＹ軸をとり、前記通水部における前記複数の散水孔が形成された位置をＸＹ直交座標で表すとき、
前記垂直散水孔は、前記垂直散水孔の外側開口の中心を通り且つ前記垂直断面の中心を通る第１の仮想線が、前記Ｘ軸の正方向に対して傾く角度αが−１０°以上４０°以下の範囲となる位置に配され、
前記非垂直散水孔は、前記非垂直散水孔の外側開口の中心を通り且つ前記垂直断面の中心を通る第２の仮想線が、前記Ｘ軸の正方向に対して傾く角度βが−１５０°以上−１０°以下の範囲となる位置に少なくとも配されてなる。【００２２】
ここで、上記通水部の垂直断面の径方向に沿うように延びる垂直散水孔は、通水部を折り畳んで平面状態としたとき、通水部の平面に対して、該垂直散水孔における外側開口の中心及び内側の中心を通る第３の仮想線がなす角度が、７０°以上１１０°以下（９０°±２０°）であるように、その内周面が形成されてなる散水孔である。【００２３】
また、上記径方向に沿わないように延びる非垂直散水孔は、前記垂直散水孔の定義から外れる散水孔形状を有する散水孔のすべてを意味する。さらに言えば、孔から噴出する水の挙動が前記垂直散水孔とは異なる構造を持つ散水孔すべてを意味する。
また、灌水チューブの設置高さは、通水部の最下方と地面とを結ぶ最短距離を意味する。【００２４】
また、上記構成の灌水チューブにおいては、
前記ＸＹ直交座標の中心を軸として、前記Ｘ軸の正の側から前記Ｙ軸の正の側に向けて回転する方向を反時計回り、前記Ｙ軸の正の側から前記Ｘ軸の正の側に向けて回転する方向を時計回りとするとき、
前記灌水チューブが設置されて前記通水部の内部に通水されて膨らんでいる状態で、
前記非垂直散水孔が、前記角度βが−４０°以上−１０°以下の範囲となる位置に配されている場合には、前記第２の仮想線と前記通水部の中心を通って前記長手方向に延びる中心線とで形成される仮想平面に対して、前記非垂直散水孔の内側開口の中心が、前記ＸＹ直交座標の中心を軸とする反時計回りの側に位置するように、前記非垂直散水孔が形成されており、
前記非垂直散水孔が、前記角度βが−１５０°以上−９５°以下の範囲となる位置に配されている場合には、前記仮想平面に対して、前記非垂直散水孔の内側開口の中心が、前記ＸＹ直交座標の中心を軸とする時計回りの側に位置するように、前記非垂直散水孔が形成されていることが好ましい。【００２５】
また、上記構成の灌水チューブにおいては、
前記灌水チューブが設置されて前記通水部の内部に通水されて膨らんでいる状態で、前記非垂直散水孔が、前記角度βが−１０°を超えて７０°以下の範囲に、さらに配されてなることが好ましい。【００２６】
また、上記構成の灌水チューブにおいては、
前記灌水チューブが設置されて前記通水部の内部に通水されて膨らんでいる状態で、前記通水部における前記Ｙ軸の正及び負の少なくとも一方側の表面から突出するフィン部をさらに備えていることが、好ましい。【００２７】
かかる構成によれば、上記フィン部を備えることによって、灌水チューブが撓み難くなるため、より適切に散水することが可能となる。【００２８】
また、上記構成の灌水チューブにおいては、
前記灌水チューブが地面から１３０ｃｍ以上の高さに設置されたとき、前記灌水チューブの直下から前記主散水方向と反対方向に５０ｃｍ離れた位置までの間の地面における平均散水強度が、前記直下から前記主散水方向に１５０ｃｍ離れた位置までの間の地面における平均散水強度に対して５〜５０％となるように形成されていることが好ましい。【００２９】
ここで、平均散水強度とは、地面に落下し続ける水によって地面に及ぼされる水量を、１時間（ｈｒ）当たり特定領域の範囲にたまった水の平均深さ（単位面積当たり）として表した値を意味する。【００３０】
また、上記構成の灌水チューブは、
農業用ハウスに設置されて使用されるものであることが、好ましい。【００３１】
また、上記構成の灌水チューブは、
前記農業用ハウスの壁部またはその近傍に配されて使用されるものであることが、好ましい。【００３２】
また、上記構成の灌水チューブにおいては、
前記農業用ハウスは、複数の棟が繋がってなり、
該複数の棟の連結部分またはその近傍に配されて使用されても良い。【００３３】
また、上記構成の灌水チューブにおいては、
前記農業ハウスの互いに対向する端部に前記灌水チューブがそれぞれ設置されており、
前記所定のパターン内に、前記長手方向において前記垂直散水孔が少なくとも１つ、前記非垂直散水孔が前記垂直散水孔よりも多く配されており、
前記垂直散水孔の前記長手方向に沿った平均繰返し間隔をＭ１、前記非垂直散水孔の前記長手方向に沿った平均繰返し間隔をＭ２としたとき、下記数式（１）を満たすことが好ましい。
Ｍ１＞Ｍ２  ・・・・・（１）【００３４】
また、本発明の灌水方法は、
前記灌水チューブを用いて灌水を行う。
【図面の簡単な説明】
【００３５】
【図１】本発明の一実施形態の灌水チューブが農業用ハウスに設置された状態を示す概略側面図
【図２】本実施形態の灌水チューブを示す概略斜視図
【図３】本実施形態の灌水チューブの垂直断面を示す概略図
【図４】図３の垂直散水孔周辺を、灌水チューブを折り畳んだ状態で拡大して示す概略図
【図５】図３の非垂直散水孔周辺を、灌水チューブを折り畳んだ状態で拡大して示す概略図
【図６】非垂直散水孔の形状を模式的に示す概略斜視図
【図７】非垂直散水孔の形状を模式的に示す概略平面図
【図８】非垂直散水孔からの散水状態を模式的に示す概略平面図
【図９】本実施形態の灌水チューブを示す概略側面図
【図１０】本実施形態の灌水チューブの、通水されていない状態を示す概略斜視図
【図１１】本実施形態の灌水チューブによって散水している状態を示す概略側面図
【図１２】本発明の一実施形態の農業用ハウスに灌水チューブが設置された状態を示す概略側面図
【図１３】本発明の一実施形態の灌水チューブに形成された非垂直散水孔を示す概略側面図
【図１４】本発明の比較例１の灌水チューブの長手方向における散水分布を示すグラフ
【図１５】本発明の比較例２の灌水チューブの長手方向における散水分布を示すグラフ
【図１６】本発明の比較例３の灌水チューブの長手方向における散水分布を示すグラフ
【図１７】本発明の比較例４の灌水チューブの長手方向における散水分布を示すグラフ
【図１８】本発明の実施例１の灌水チューブの長手方向における散水分布を示すグラフ
【図１９】本発明の実施例２の灌水チューブの長手方向における散水分布を示すグラフ
【図２０】本発明の実施例３の灌水チューブを示す写真
【図２１】本発明の比較例５の灌水チューブを示す写真
【発明を実施するための形態】
【００３６】
以下、本発明の一実施形態の灌水チューブ及び灌水方法について、図面を参照しながら説明する。
【００３７】
図１に示すように、本実施形態の灌水チューブ１０は、農業用ハウス１に設置されている。なお、灌水チューブ１０は、目的に応じて屋外および屋内で使用可能であるが、特に農業用ハウス１に使用することが好ましい。
【００３８】
図１では、農業用ハウス１は、複数の棟３が繋がって構成されている。灌水チューブ１０は、農業用ハウス１の一の壁部５ａと、他の壁部５ｂと、棟３同士の連設部分に配された支柱７とに、それぞれ固定部材９を介して設置されている。すなわち、灌水チューブ１０は、壁部５ａ、５ｂの近傍、及び、連設部分の近傍にそれぞれ設置されている。ここで、近傍とは、５０ｃｍ以内を意味する。このように設置されて、灌水チューブ１０が使用される（図１１参照）。農業用ハウス１としては、ビニールハウス等が挙げられる。上記のように、連棟ハウスは、一般に一棟当たりの間口が広いため、一の棟の両側の連接部分からの散水が望ましい。
【００３９】
図２に示すように、灌水チューブ１０は、内部に水が通水されるように形成され、且つ、前記内部の水を外部に噴出させる複数の散水孔が長手方向に所定のパターンで形成された通水部１１を備える。本実施形態では、通水部１１は、内部に通水された状態で円筒状であるように形成されている。また、通水部１１の内部には、不図示の給水装置から水が供給されるようになっている。なお、通水されていない場合には、灌水チューブ１０は、図９、１０のような平坦な状態となっている。
【００４０】
通水部１１は、内部に水が通水され、複数の散水孔から水を噴出するものである。
通水部１１の厚みは、０．１〜１０ｍｍが好ましく、０．１５〜５ｍｍがより好ましく、０．１５〜３ｍｍがさらに好ましい。
通水部１１の厚みが０．１ｍｍ未満であると、通水部１１の内部に注水し、加圧したときに、通水部１１の変形や破裂を起こすおそれがある。これに対し、通水部１１の厚みが０．１ｍｍ以上であることによって、このような変形や破裂を抑制し得る。
通水部１１の厚みが１０ｍｍを超えていると、通水部１１の剛性や重量が増加し過ぎることになり、通水部１１の巻き取りや、通水部１１に散水孔を形成するための穿孔が困難となるおそれがある。これに対し、通水部１１の厚みが１０ｍｍ以下であることによって、剛性や重量が増加し過ぎることを抑制することができ、これにより、通水部１１の巻き取りや穿孔が困難となることを抑制し得る。
【００４１】
通水されて膨らんでいる状態での通水部１１の内径（直径）は、５〜２００ｍｍが好ましく、５〜１５０ｍｍがより好ましく、５〜１００ｍｍがさらに好ましい。
内径が５ｍｍより小さいと、灌水状態におけるチューブの長手方向の圧損が大きくなり、注水口から離れるとすぐに散水距離が短くなる不具合が生じる。一方、内径が２００ｍｍより大きくなると、同じ水圧で注水しても、比較的小さい内径のチューブに比べて強度的に破壊されやすくなり、好ましくない。
【００４２】
図１に示すように、灌水チューブ１０は、地面から１３０ｃｍ以上の高さＨに配されている。
高さＨは、通水部１１の最下方と地面とを結ぶ最短距離である。
かかる高さＨは、１５０ｃｍ以上がより好ましく、１８０ｃｍ以上がさらに好ましい。高さＨが１３０ｃｍ以上であることによって、近くからより遠い場所までをより均一に散水することが可能となる。図１に示す態様では、農業用ハウス１の一の壁部５ａに設置された灌水チューブ１０から支柱７の近くまで散水しつつ、壁部５ａの近くを散水できる。また、支柱７に設置された灌水チューブ１０から、農業用ハウス１の他の壁部５ｂの近くまで散水しつつ、支柱７の近くを散水できる。さらに、農作業機器等の移動を妨げることを回避し得る。
【００４３】
高さＨは、１３０ｃｍ以上であれば特に限定されるものではなく、農業用ハウス１の形状や大きさ等によって、適宜設定され得る。また、高さＨの上限は、例えば、灌水チューブ１０から飛翔させた水が農業用ハウス１の天井に衝突しないような高さに設定すればよい。なお、より大きな連棟ハウスでは棟連結部（結合部）の高さが２５０ｃｍ程度のものもあり、同高さが設置高さの上限の目安である。
なお、灌水チューブ１０は、壁部５ａや支柱７ではなく、棟３に設置されてもよい。例えば、棟３の壁部５ａ側（例えば、壁部５ａの近傍）や、棟３の支柱７側（例えば、支柱７の近傍）に設置されてもよい。
【００４４】
図３に示すように、通水部１１には、前記複数の散水孔として、前記通水部１１が設置されて前記内部に通水されて膨らんでいる状態で、前記通水部１１の垂直断面の径方向に沿うように延びる垂直散水孔１３と、前記径方向に沿わないように延びる非垂直散水孔１５とが形成されている。
これら散水孔は、通水部１１から水が供給され、該通水部１１内の水圧によって、水を外部に噴出させるものである。
また、本実施形態では、通水部１１に所定のパターンで垂直散水孔１３及び非垂直散水孔１５が繰り返し形成されており、この所定のパターンは、１つ以上の垂直散水孔１３と、複数の非垂直散水孔１５とによって構成されている。
【００４５】
また、垂直散水孔１３は、灌水チューブ１の散水領域のうち、主散水方向の散水領域であって、水滴の到達距離が比較的長い長距離の散水を担っている。
一方、非垂直散水孔１５は、灌水チューブ１の散水領域のうち、主散水方向の散水領域であって、垂直散水孔１３よりも水滴の到達距離が短い中・近距離の散水を担っており、また、主散水方向と反対の方向（非主散水法方向）の散水を担うことも可能となっている。なお、主散水方向と反対の方向の散水距離が大き過ぎると、壁部５ａ、５ｂに水滴が衝突するおそれがある。この点を考慮すれば、非垂直散水孔１５は、通水部１１における、主散水方向と反対の方向の散水距離が５０ｃｍ以下であるような位置に配されていることが好ましい。
なお、主散水方向とは、農業用ハウス１に設置された状態で、水平方向において灌水チューブ１から離れる２つの方向（図３のＸ軸の正方向及び負方向）のうち、灌水チューブ１からの散水距離が大きい方の方向をいう。
【００４６】
また、垂直散水孔１３と非垂直散水孔１５とは、孔面積、穿孔位置、水圧等について同一散水条件で各孔から散水したとき、非垂直散水孔１５が垂直散水孔１３よりも、等距離を飛行したときの水滴の粒子径が小さいという関係を有する。
ここで、垂直散水孔１３からの散水では、該垂直散水孔１３を通過するときの孔壁面との衝突が少ないため、垂直散水孔１３を通過した水は、水柱を形成して空中をしばらく飛行した後、水滴への分裂を開始する。これに対し、非垂直散水孔１５からの散水では、非垂直散水孔１５を通過した水は、水柱を形成して空中を飛行する時間が垂直散水孔１３の場合よりも早期に（短い飛行の後に）水滴に分裂するか、または、水柱がほとんど形成されない傾向にある。
【００４７】
このような垂直散水孔１３と非垂直散水孔１５における、各孔からの水の噴出挙動の差異のメカニズムは定かではないが、そのメカニズムは、これらの孔形状の違いにより、各散水孔の通過時に発生する水流状態に違いが発生することによるものと推察される。灌水チューブ１の通水部１１に注水されると、通水部１１の内壁面（灌水チューブ１１の長手方向）に対して垂直に水圧が作用するが、垂直散水孔１３では、この水圧の作用方向に対して、垂直散水孔１３の中心線が平行に近い。このことから、垂直散水孔１３では、灌水チューブ１の主流路（通水部１１の内部）から垂直散水孔１３に水が流れ込んだ後、水圧の作用方向と同じ方向に水が流れることになるため、水流が乱れることなく、空中に飛び出すことになると考えられる。
【００４８】
これに対し、非垂直散水孔１５では、その孔形状等に起因して、孔の中心線が上記水圧の作用方向に対して傾斜しているため、孔を通過する際にその孔壁面との衝突によって、孔を通過する水の流れに強制的な変化が与えられる。これにより、乱流や流速分布の乱れが発生し、非垂直散水孔１５を通過した水が水柱を形成することができないか、または、水柱を形成したとしても、早期に分裂を開始することになると考えられる。なお、２つの非垂直散水孔１５が互いに隣接し、しかも、各孔の中心線が交差するように配されている場合には（後述するＸ孔）、一方の孔を通過した水の流れと他方の孔を通過した水の流れとが衝突し、衝突が発生した付近から水滴の分裂が発生する。このため、この場合には、衝突が発生しない場合よりも、小さな粒径を有する微細な水滴が形成されることになる。
【００４９】
一方、垂直散水孔１３及び非垂直散水孔１５を通過した水から水滴が形成されると、この水滴の飛行は空気抵抗を受けるため、その終端速度（地面に到達するときの速度）は、速度が粒子径の二乗に比例するストークスの式に従うことが、一般に知られている。
ここで、上記の通り、非垂直散水孔１５から発生した水滴は、垂直散水孔１３から発生した水滴よりも粒子径が小さいため、終端速度が小さくなって、飛行距離が短くなる。このように、散水孔の形状と、水滴の飛行距離（すなわち、散水距離）とは密接な関係があり、水滴の粒子径が小さくなる非垂直散水孔１５は、飛行距離が短いことから近距離領域の散水に適したものとなり、一方、水滴の粒子径が大きくなる垂直散水孔１３は、飛行距離が長いことから長距離の散水に適したものとなる。
また、通水部１１に形成される垂直散水孔１３及び非垂直散水孔１５の配置によって、これら散水孔から飛び出す水の飛行方向、滞空（飛行）時間が決定され、地面に着地する際の水滴の粒子径及び飛行速度に影響を与え、その結果、灌水距離・散水領域の面積に重要な影響を与える。そこで、これらを考慮し、本実施形態では、以下のように、通水部１１における垂直散水孔１３及び非垂直散水孔１５の配置を設定する。
【００５０】
ここで、図３に示すように、灌水チューブ１０が設置されて通水部１１の内部に通水されて膨らんでいる状態で、通水部１１の垂直断面の中心Ｏを通るように水平方向（図３の左右方向）に沿って、中心Ｏから離れる２つの方向のうちより多く散水される方向である主散水方向（図３の右側）を正とするＸ軸、中心Ｏを通るように鉛直方向（図３の上下方向）に沿って上方向（図３の上側）を正とするＹ軸をとり、通水部１１における複数の散水孔が形成された位置をＸＹ直交座標で表すこととする。
【００５１】
このように表すとき、垂直散水孔１３は、垂直散水孔１３の外側開口の中心Ｓ１を通り且つ通水部１１の垂直断面の中心Ｏを通る第１の仮想線Ｌ１が、前記Ｘ軸の正方向に対して傾く角度αが−１０°以上４０°以下の範囲となる位置に配されている。
角度αは、上記Ｘ軸の正の方向を０°とし、該Ｘ軸の正の方向から、上方に、上記Ｘ軸の負の方向（１８０°に相当する）までの間を正の角度として表し、該Ｘ軸の正の方向から、下方に、上記Ｘ軸の負の方向（−１８０°に相当する）までの間を負の角度として表す。
なお、本発明においては、垂直散水孔１３は、所定パターンにおいて上記角度αの位置に少なくとも１つ配されていればよく、その数量は特に限定されるものではない。すなわち、垂直散水孔１３は、所定パターン内に複数配されていてもよい。また、通水部１１の周方向において複数の垂直散水孔１３が配されていても、通水部１１の長手方向において複数の垂直散水孔１３が配されていてもよい。
【００５２】
角度αが−１０°未満である場合には、地上１３０ｃｍ高さ以上に設置された場合でも散水距離が顕著に低下し、また、散水面積も著しく低下するおそれがある。また、この場合には、着地部の土壌の損傷が顕著となってくる。これに対し、角度αが−１０°以上であることによって、このような散水距離及び散水面積の著しい低下を抑制することができる。これにより、散水距離及び散水面積を十分に大きくすることができ、顕著な土壌損傷も回避することができる。
また、角度αが４０°を超える場合には、角度αの増加に従い散水距離が低下するおそれがあり、また、水滴の最大到達高さが著しく大きくなって農業用ハウス１の天井に水滴が衝突し易くなる傾向にある。また、農業用ハウス１の天井に水滴が衝突することを回避しようとすれば、その分、農業用ハウス１の天井を高くする必要が生じる。これに対し、角度αが４０°以下であることによって、散水距離の低下、及び、最大到達高さが大き過ぎることを抑制することができ、これにより、散水距離を確保しつつも、最大到達高さを適度なものとすることができる。また、農業用ハウス１の天井を高くするといった、不要な作業を回避し得る。
このように、地上１３０ｃｍ以上に灌水チューブ１０が設置され、角度αが−１０°以上４０°以下であることによって、垂直散水孔１３から噴出させた水を、遠くまで飛行させたうえで、分散させることができる。また、噴出させた水を天井に衝突させ難くすることができる。
また、かかる観点から、角度αは、−５°以上３０°以下が好ましく、０°以上２５°以下がより好ましい。
【００５３】
図４に示すように、垂直散水孔１３は、通水部１１を折り畳んで平面状態としたとき、通水部１１の平面に対して、該垂直散水孔１３における外側開口の中心Ｓ３及び内側開口の中心Ｓ４を通る第３の仮想線Ｌ３がなす角度θ１が、７０°以上１１０°以下（９０°±２０°）であるように、その内周面１３ａが形成されてなる散水孔である。
かかる垂直散水孔１３においては、その中心を通る第３の仮想線Ｌ３の上記平面に対する角度θ１が７０°以上１１０°以下であればよく、その内周面１３ａが上記平面に対してなす角度は、特に限定されるものではなく、例えば、内周面１３ａが内側に向かうほど広がるように形成されていても、内側に向かうほど狭くなるように形成されていてもよい。
【００５４】
図４に示す態様では、角度θ１が９０°であるように垂直散水孔１３が形成されており、第１の仮想線Ｌ１と第３の仮想線Ｌ３とが一致している。
【００５５】
上記角度θ１が７０°以上１１０°以下であることによって、同じ孔の断面積及び同じ水圧で水を噴出させたとき、垂直散水孔１３から噴出させた水は、同様の飛行パターンを示し得る。すなわち、第１の仮想線Ｌ１と第３の仮想線Ｌ３とが一致する場合の飛行パターン（図１１参照）とほぼ同様の飛行パターンを示し得る。
また、垂直散水孔１３から噴出させた水は、垂直散水孔１３から飛び出した後、分裂が遅く、分裂による空気抵抗を受け難いため、長い距離を飛行することができることから、水柱が分散を開始するまでの時間が遅くなる。これにより、水柱が分散（分裂）を開始する点を灌水チューブ１０から遠くすることができるため、遠くまで水を送ることができ、しかも、分裂後の水滴の広がりをも確保することができる。
【００５６】
上記平面状態での垂直散水孔１３の孔径（直径）は、特に限定されるものではないが、例えば、通水部１１の内部に通水されて膨らんでいる状態で、０．０１〜３ｍｍとなるような孔径が好ましい。
なお、上記孔径とは、通水部１１の外側（表側）から内側（裏側）までの開口部のうち、最も小さい部分の孔径をいう。また、かかる開口の形状が真円でない場合には、上記孔径とは、開口の面積と同じ面積を有する真円の直径に換算した値を意味する。
【００５７】
垂直散水孔１３の孔径が３ｍｍを超えると、各垂直散水孔１３当たりの散水量が多くなり過ぎるおそれがある。このため、灌水チューブ１０の長手方向における通水部１１への注水側の端部から遠くに離れて位置するほど（注水側とは反対の側の端部に向かうほど）、垂直散水孔１３から飛び出す水の勢いが低下して水滴の到達距離（飛行距離）が低下するおそれがある。また、その結果、長手方向に均一な散水を行うことが困難となるおそれがある。これに対し、垂直散水孔１３の孔径が３ｍｍ以下であると、上記注水側の端部から離れた位置でも、垂直散水孔１３からの飛び出す水の勢いが低下することを抑制し得るため、長手方向における散水の均一性の低下を抑制し得る。
また、垂直散水孔１３の孔径が０．０１ｍｍ未満であると、垂直散水孔１３から飛び出した水滴の到達距離が短くなり過ぎるおそれがあり、このため、十分に遠くまで散水し得ないおそれがある。これに対し、垂直散水孔１３の孔径が０．０１ｍｍ以上であると、垂直散水孔１３から飛び出した水滴の到達距離を十分に長いものとすることができ、十分に遠くまで散水し得る。好ましい孔径は、０．０５〜２．５ｍｍであり、さらに好ましくは０．１〜１．５ｍｍである。
【００５８】
図３に示すように、非垂直散水孔１５は、非垂直散水孔１５の外側開口の中心Ｓ２を通り且つ前記垂直断面の中心Ｏを通る第２の仮想線Ｌ２が、前記Ｘ軸の正方向に対して傾く角度βが−１５０°以上−１０°以下の範囲となる位置に配されてなる。
【００５９】
非垂直散水孔１５の少なくとも１つは、前記第２の仮想線が、前記Ｘ軸の正方向に対して傾く角度βが−１５０°以上−１０°以下の範囲となる位置に配されるように前記通水部１１に形成されている。
角度βは、上記Ｘ軸の正の方向を０°とし、該Ｘ軸の正の方向から、上方に、上記Ｘ軸の負の方向（＋１８０°に相当する）までの間を正の角度として表し、該Ｘ軸の正の方向から、下方に、上記Ｘ軸の負の方向（−１８０°に相当する）までの間を負の角度として表す。
なお、本発明においては、非垂直散水孔１５は、所定パターンにおいて上記角度βの位置に少なくとも１つ配されていればよく、その数量は特に限定されるものではない。すなわち、非垂直散水孔１５は、所定パターン内に１つ配されていてもよい。
また、上記角度α及び角度βがいずれも−１０°である場合には、垂直散水孔１３及び非垂直散水孔１５は、長手方向において互いに異なる位置に配されることになる。また、上記角度βが−１５０°以上−１０°以下の範囲に非垂直散水孔１５が１つ以上配されていれば、その他に、上記角度βが−１５０°以上−１０°以下を外れる範囲（−１０°を超えて１８０°以下の範囲、及び、−１８０°を超えて−１５０°未満の範囲から選択される角度）となるように非垂直散水孔１５が１つ以上配されていてもよい。
【００６０】
角度βが−１０°を超えると、非垂直散水孔１５からの水滴の到達（飛行）距離は中距離域になり、近距離域への散水が困難となる。また、角度βが大きくなり過ぎると、水滴が天井に衝突するおそれもある。これに対し、角度βが−１０°以下であることによって、非垂直散水孔１５からの水滴の到達距離を十分に近距離域にすることができるため、垂直散水孔１３では散水し得ない灌水チューブ１０の取り付け位置直下付近に十分に散水することが可能となり、また、天井に水滴を衝突させ難くすることもできる。
また、角度βが−１５０°未満であると、灌水チューブ１０に対し、主散水方向とは反対の方向に散水され過ぎてしまうため、図１に示すように、灌水チューブ１０が農業用ハウス１の壁部５ａ、５ｂに設置されていると、地面以外に壁部５ａ、５ｂにも水滴が衝突して、散水に無駄が多くなるおそれがある。これに対し、角度が−１５０°以上であることによって、主散水方向とは反対の方向への過度の散水が抑制されるため、有害な散水を抑制し得る。
従って、角度βが−１５０°以上−１０°以下である位置に非垂直散水孔１５が配されることによって、非垂直散水孔１３から噴出させた水を、灌水チューブ１０の近くで分裂及び分散させて、近距離領域に散水することができる。また、噴出させた水を天井に衝突させ難くすることができる。
また、垂直散水孔１３による遠距離域への散水と、上記角度βが−１５０°以上−１０°以下に存在する前記非垂直散水孔１５とにより散水される主散水側と反対方向を含む近距離域の間の散水に適している。
角度βは、−１２０°以上−１０°以下が好ましい。
【００６１】
非垂直散水孔１５は、上記垂直散水孔１３の定義から外れる形状を有する散水孔すべてを対象とする。さらに言えば、非垂直散水孔１５は、孔から噴出する水の挙動が垂直散水孔１３とは異なる構造を持つ散水孔すべてを含む。非垂直散水孔１５として、後述する斜め孔、Ｘ孔や、孔の長さ／幅比が著しく大きいスリット孔等が挙げられる。中でも後述する斜め孔やＸ孔が、レーザーで簡便に穿孔されることが可能なため、好ましい。
図５に示すように、非垂直散水孔１５は、通水部１１を折り畳んで平面状態としたとき、通水部１１の外側平面と、仮想線Ｌ２及び仮想線Ｌ４によって形成される平面（図５では紙面に平行な面）との交線をＲ軸とし、該Ｒ軸上に位置する非垂直散水孔１５の外側開口の中心Ｓ５を原点Ｏｒとして該原点Ｏｒよりも主散水側を負の側（−側）、主散水側と反対側を正の側（＋側）とし、Ｒ軸の（＋側）に対して灌水チューブ１０の外側に位置する仮想線Ｌ２に向けて回転する方向（図５の反時計回り方向）に仮想線Ｌ４が傾く角度θ２が、７０°以上１１０°以下（すなわち、９０°±２０°）の範囲以外の範囲であるように、その内周面１５ａが形成されてなる散水孔である。すなわち、非垂直散水孔１５は、角度θ２が、０°を超えて７０°未満（０＜θ２＜７０°）、及び、１１０°を超えて１８０°未満（１１０°＜θ２＜１８０°）から選択される角度であるように、その内周面１５ａが形成されてなる散水孔である。
かかる非垂直散水孔１５においては、その中心を通る第４の仮想線Ｌ４がＲ軸の（＋側）に対して傾く角度θ２が上記範囲から選択される角度であればよく、その内周面１５ａが上記Ｒ軸の（＋側）に対してなす角度は、特に限定されるものではない。例えば、内周面１５ａが内側に向かうほど広がるように形成されていても、内側に向かうほど狭くなるように形成されていてよい。
【００６２】
上記角度θ２が上記範囲内であることによって、同じ孔の断面積及び同じ水圧で噴出させたとき、非垂直散水孔１５から噴出させた水は、垂直散水孔１３から噴出された水よりも飛行距離が短く、且つ、垂直散水孔１３から噴出された水よりも広がった飛行パターン（図１１参照）を示し得る。
また、非垂直散水孔１５から噴出させた水は、同じ孔の断面積及び同じ水圧で垂直散水孔１３から噴出させた場合と比較して、非垂直散水孔１５から飛び出した後、水柱が分散を開始するまでの時間が短く、分裂による微粒化が早くはじまり、空気抵抗による減速を受け易いため、長い距離を飛行することができない。これにより、１３０ｃｍ以上の高さから下向きに噴出させても分散・微粒化・減速を開始する地点を灌水チューブ１０に近くすることができるため、近くを散水することができ、しかも、分裂後の水滴の広がりをも確保することができ、土壌の損傷も回避できる。
【００６３】
上記平面状態での非垂直散水孔１５の孔径（直径）は、特に限定されるものではないが、例えば、通水部１１の内部に通水されて膨らんでいる状態で、０．１〜３ｍｍとなるような孔径が好ましい。
なお、上記孔径とは、通水部１１の外側（表側）及び内側（裏側）の開口の孔径のうち、小さい方の孔径をいい、かかる開口の形状が真円でない場合には、上記孔径とは、開口の面積と同じ面積を有する真円の直径に換算した値を意味する。
【００６４】
非垂直散水孔１５の孔径が３ｍｍを超えると、各非垂直散水孔１５当たりの散水量が多くなり過ぎるため、灌水チューブ１０の長手方向における通水部１１への注水側の端部から遠くに離れて位置するほど（注水側とは反対の側の端部に向かうほど）、非垂直散水孔１５から飛び出す水の勢いが低下して水滴の到達（飛行）距離が低下するおそれがある。また、その結果、長手方向に均一な散水を行うことが困難となるおそれがある。これに対し、非垂直散水孔１５の孔径が３ｍｍ以下であると、上記注水側の端部から離れた位置でも、非垂直散水孔１５からの飛び出す水の勢いが低下することを抑制し得るため、長手方向における散水の均一性の低下を抑制し得る。
また、非垂直散水孔１５の孔径が０．０１ｍｍ未満であると、非垂直散水孔１５から飛び出した水滴の到達距離が短くなり過ぎるおそれがあり、十分に遠くまで散水し得ないおそれがある。これに対し、非垂直散水孔１５の孔径が０．０１ｍｍ以上であると、非垂直散水孔１５から飛び出した水滴の到達距離を十分に長いものとすることができ、十分に遠くまで散水し得る。好ましい非垂直孔の孔径は０．０５〜２．５ｍｍであり、さらに好ましい孔径範囲は０．１〜１．５ｍｍである。
【００６５】
このように、非垂直散水孔１５が、主散水方向（Ｘ軸の正の方向、図３の右側）と、該主散水方向と反対の方向（Ｘ軸の負の方向、図３の左側）とに散水可能であることによって、より広範囲に散水することができる。
【００６６】
また、より具体的には、本実施形態の非垂直散水孔１５（斜め孔）は、以下の形状に形成されている。
すなわち、図６に示すように、灌水チューブ１０に注水しているときの水の流動方向（長手方向）に対して垂直断面の中心ＯをＸＹ座標の中心とし、主散水側をＸ軸の正側、鉛直方向の上方をＹ軸の正側にとったＸＹ座標において、上記中心Ｏと、非垂直散水孔１５の外側開口の中心Ｓ５とを結ぶ第５の仮想線Ｌ５と、灌水チューブ１０の中心を通って長手方向に延びる中心線Ｌ０とで形成される仮想平面Ｐを設定し、上記ＸＹ座標系で中心Ｏを基準に仮想平面Ｐに対して図６の右回りに０〜１８０°の間を時計回り側、左回りに０〜１８０°の間を反時計回り側とする。
換言すれば、ＸＹ直交座標の中心Ｏを軸として、Ｘ軸の正の側（図６の右側）からＹ軸の正の側（図６の上側）に向けて回転する方向を反時計回り、Ｙ軸の正の側（図６の上側）からＸ軸の正の側（図６の右側）に向けて回転する方向を時計回りとする。
このとき、非垂直散水孔１５の内側開口の中心Ｓ６が、上記ＸＹ座標の中心Ｏを基準に仮想平面Ｐの反時計回り側（図６の右側）にある場合、上記角度θ２が０°〜７０°の範囲内の値であり、中心Ｓ６がＸＹ座標の中心Ｏを基準に仮想平面Ｐの時計回り側（図６の左側）にある場合、上記角度θ２が１１０°＜θ２＜１８０°の範囲内の値であるように、非垂直散水孔１５が形成されている。
【００６７】
このように、灌水チューブ１０の負の側（マイナス側）を含む近傍を灌水する目的で配設する斜め孔において、上記内側開口の中心Ｓ６が仮想平面Ｐの反時計回り側にある場合、上記角度θ２が０°〜７０°であるとき、非垂直散水孔１５の中央を通る第４の仮想線Ｌ４は、仮想平面Ｐに対して、灌水チューブ１０よりも外側では、時計回り方向にずれることになる。このため、灌水チューブ１０の主散水側及びこれとは反対側を含む近傍の地面に灌水するためには、非垂直散水孔１５の穿孔位置を示す角度βは、−９５°以上−１０°以下の範囲に設置することが好ましい（参考例１４〜参考例１７参照）。また、より好ましい角度βの範囲は、−８５°〜−１０°であり、最も好ましい角度βの範囲は、−８０°〜−２０°である。なお、後述する時計回り側との重複部分を考慮し、角度βの範囲が−４０°〜−１０°であってもよい。
この場合、図７に示すように、同じ穿孔の角度θ２、且つ、同じ穿孔位置の角度βにある非垂直散水孔１５のうち、灌水チューブ１０の下の地面の最もマイナス側方向を灌水するのは、非垂直散水孔１５の中央を通る第４の仮想線Ｌ４が灌水チューブ１０の長手方向に垂直な断面（ＸＹ座標平面）に含まれる場合であり、この場合、非垂直散水孔１５は、灌水チューブ１０に対して垂直方向に向けて散水する。また、灌水チューブ１０から最も正の側（プラス側）方向に向けて散水するのは、第４の仮想線Ｌ４が仮想平面Ｐに含まれる場合であり、非垂直散水孔１５を配設した位置に対して、散水される領域は、灌水チューブ１０の長手方向のプラス側またはマイナス側にずれる。上記断面および仮想平面Ｐの中間に位置する、同じ穿孔角度θ２と同じ穿孔位置βを有する非垂直散水孔１５は、灌水チューブ１０からの散水距離が上記断面と仮想平面Ｐに含まれる非垂直散水孔１５の散水距離の中間となるような領域を、散水する。
【００６８】
一方、図７の非垂直散水孔１５’のように灌水チューブ１０の内側開口の中心Ｓ６’が仮想平面Ｐ’の時計回り側にある場合、上記角度θ２が１１０°〜１８０°であり、非垂直散水孔１５’の中心を通る第４の仮想線Ｌ４’は仮想平面Ｐ’に対して、灌水チューブ１０よりも外側では、反時計回り方向にずれるため、灌水チューブ１０の非散水側を含む近傍の地面に灌水するためには、穿孔位置を示す角度βは、−１５０°以上−４０°以下の範囲に設置することが好ましい（参考例２０〜参考例２４）。また、より好ましいβの範囲は、−１３０°〜−４０°の範囲であり、最も好ましくは、−１２０〜−４０°である。なお、前述の反時計回り側との重複部分を考慮し、角度βの範囲が−１５０°〜−９５°であってもよい。
この場合、図７に示すように、同じ穿孔の角度θ２’、且つ、同じ穿孔位置の角度βにある非垂直散水孔１５’のうち、灌水チューブ１０の下の地面の最もプラス側方向を散水するのは、非垂直散水孔１５’の中心を通る第４の仮想線Ｌ４’が灌水チューブ１０の長手方向に垂直な断面（ＸＹ座標平面）に含まれる場合であり、灌水チューブ１０に対して垂直方向を散水する。また、灌水チューブ１０から最もマイナス側方向を灌水するのは、第４の仮想線Ｌ４’が仮想平面Ｐ’に含まれる場合であり、非垂直散水孔１５’を配設した位置に対して、散水される領域は、灌水チューブ１０の長手方向のプラス側またはマイナス側にずれる。上記断面および仮想平面Ｐ’の中間に位置する、同じ穿孔角度θ２’と同じ穿孔位置βを有する非垂直散孔１５’は、灌水チューブ１０からの散水距離が上記断面と仮想平面Ｐ’に含まれる非垂直散水孔１５’の散水距離の中間となるような領域を、散水する。
【００６９】
このように非垂直散水孔１５（及び１５’）の形状が設定されるとき、穿孔位置の角度βが−１５０°以上−１０°以下の範囲となる位置であり、且つ、非垂直散水孔１５から噴出する水柱または、噴霧束の散水仰角Ｄが−１３０°以上−１０°以下であることが好ましい。
【００７０】
また、非垂直散水孔１５は、上記角度βが−１５０°以上−１０°以下の範囲となる通水部１１の位置に１つ以上形成されていればよく、この他さらに、この範囲を外れる範囲（−１０°を超えて１８０°以下の範囲、及び、−１８０°を超えて−１５０°未満の範囲から選択される範囲）となる通水部１１の位置に非垂直散水孔１５が１つ以上形成されていてもよい。
このように、上記角度βが上記範囲を外れる範囲となるように非垂直散水孔１５が形成される場合、上記角度βが、−１０°を超え７０°以下の範囲であり、且つ、散水仰角Ｄが−１０°を超えて４５°以下であることが好ましい。
【００７１】
ここで、非垂直散水孔１５から噴出する水の散水仰角Ｄは、以下のようにして求められる。
図８に示すように、散水仰角Ｄは、非垂直散水孔１５から水が噴出する角度を、灌水チューブ１０の長手方向の同じ高さの近傍から角度計を使用して計測する。すなわち、散水迎角Ｄは、通水部１１の垂直断面の中心Ｏを通るように水平方向に沿って主散水方向を正とするＸ軸、前記中心を通るように鉛直方向に沿って上方向を正とするＹ軸をとったＸＹ座標に、非垂直散水孔１５の外側開口の中心Ｓ５と、噴出した水流に沿って散水孔から５ｃｍの水流中央の点Ｋを投影し、ＸＹ座標上に投影された２点を結ぶ線分がＸ軸のプラス側方向となす角度を言う。
非垂直散水孔１５から噴出する水流は、一般に、非垂直散水孔１５から水流に沿って５ｃｍではまだ分裂を開始しないためほぼ水柱形状をしているが、非垂直散水孔１５を飛出した直後に分裂が始まる場合は、一般に、非垂直散水孔１５付近を、頂点Ｎとする円錐形状の中を水滴が分布を持って飛散する。この場合、該円錐内の水滴密度分布に関係なく、該円錐の頂点Ｎから５ｃｍにある高位稜線上と低位稜線上の点を結んで、それぞれ高位散水仰角ＤＨ、低位散水迎角ＤＬを求め、（ＤＨ＋ＤＬ）／２を散水仰角Ｄとする。
なお、垂直散水孔１３の散水仰角Ｄも、同様に求めることができる。
【００７２】
また、これら複数の非垂直散水孔１５は、灌水チューブ１０が地面から１３０ｃｍ以上の高さに設置されたとき、灌水チューブ１０の直下から上記反対方向に５０ｃｍ離れた位置までの間の地面における平均散水強度が、上記灌水チューブ１０の直下から上記主散水方向に１５０ｃｍ離れた位置までの間の地面における平均散水強度に対して５〜５０％となるように形成されているのが好ましい。
平均散水強度とは、地面に落下し続ける水によって地面に及ぼされる水量を、１時間当たりに特定領域の範囲にたまった水の平均深さ（単位面積当たり）として表した値を意味する。
このような平均散水強度を得るには、散水領域をメッシュ分けして各条件で一定時間散水を行い、それぞれのメッシュ位置での散水強度を計測した後、ｍｍ／ｈｒ単位に換算してデータ処理すればよい。
【００７３】
上記主散水方向と反対の方向の０〜５０ｃｍの平均散水強度が、主散水方向０〜１５０ｃｍの平均散水強度の５〜５０％であることによって、上記反対方向に向かう、有害な散水を減らすことができる。
【００７４】
なお、複数の非垂直散水孔１５は、通水部１１の周方向において異なる位置に複数配されていても良いし、それぞれの非垂直散水孔１５が長手方向において異なる位置に複数配されていても良いし、周方向の異なる位置の非垂直散水孔１５が長手方向の同一位置に配されても良い。
【００７５】
本実施形態では、前記垂直散水孔１３及び非垂直散水孔１５は、所定のパターン内に、前記垂直散水孔が１つ以上配され、上記長手方向において垂直散水孔１３と異なる位置に複数の非垂直散水孔１５が配されており、しかも、複数の非垂直散水孔１５は、上記長手方向において適当な間隔をおいて互いに異なる位置に配されるが、必要に応じて長手方向の同一位置で周方向の異なる位置に複数の非垂直散水孔１５が配されても良い。すなわち、所定のパターン内に形成された垂直散水孔１３及び複数の非垂直散水孔１５は、上記長手方向に全て異なる位置に配されても良いし、一部長手方向の同一位置で周方向の異なる位置に複数の散水孔が配されても良い。
【００７６】
農業用ハウス１の両側から内側に散水する場合、このように、所定パターン内に１つ以上の垂直散水孔１３と、垂直散水孔１３の数を上回る非垂直散水孔１５が配されていることによって、上記長手方向において所定パターンで繰り返し垂直散水孔１３と複数の非垂直散水孔１５とを形成したとき、隣接する垂直散水孔１３同士の平均距離Ｍ１と、隣接する非垂直散水孔１３同士の距離を平均した距離Ｍ２とは、Ｍ１＞Ｍ２の関係を満たすことになる。
【００７７】
上記のように、所定パターン内に長手方向において垂直散水孔１３が１つ以上、非垂直散水孔１５が垂直散水孔１３よりも多く配されていることによって、より広範囲に、且つ、均一に散水することが可能となる。
【００７８】
また、図１に示すように、このような所定のパターンで垂直散水孔１３と複数の非垂直散水孔１５とが繰り返し形成された灌水チューブ１０が、農業ハウス１の互いに対向する端部にそれぞれ設置されている。なお、一方の灌水チューブ１０は、他方の灌水チューブ１０を水平方向において１８０°回転させたものに相当する。
このように、対向する２つの灌水チューブ１０によって、互いに反対側から農業用ハウス１の内側に向かって散水することによって、互いに散水困難な場所の散水を補うことができるため、より広範囲に、且つ、均一に散水することが可能となる。
【００７９】
灌水チューブ１０は、該灌水チューブ１０が設置されて通水部１１の内部に通水されて膨らんでいる状態で、通水部１１におけるＹ軸の正及び負の少なくとも一方側の表面から突出するフィン部２１を備える。ここでは、フィン部２１は、２つ備えられ、これらは、通水部１１におけるＹ軸の正及び負の両方側からそれぞれ突出している。
なお、本発明においては、フィン部２１が１つ備えられていてもよい。
【００８０】
かかるフィン部２１を備えることによって、通水部１１（すなわち、灌水チューブ１０）が長手方向において撓み難くなるため、灌水チューブ１０によって、より適切に散水することが可能となる。なお、本発明においては、フィン部２１が備えられていなくてもよい
【００８１】
通水部１１及びフィン部２１の材質は、特に限定されるものではない。これらの材質として、例えば、樹脂、ゴム、金属等が挙げられる。これらの材質のうち、低コストで容易に通水部１１における垂直散水孔１３及び非垂直散水孔１５の形成、及び、フィン部２１の形成を行うことができ、灌水チューブ１０が軽量となり、使用時の巻取性が優れるものとなるような材質が好ましい。かかる観点から、上記材質は、樹脂が好ましい。このような樹脂としては、ポリエチレンやポリプロピレン等のポリオレフィン系樹脂、ポリカーボネートやポリエチレンテレフタレレート等のポリエステル系樹脂などが挙げられる。これらのうち、ポリエチレンが好ましく、低密度ポリエチレンがより好ましい。また、樹脂製の通水部１１にレーザー光の照射によって穿孔する場合には、かかる樹脂にカーボンブラックを添加することが好ましく、これにより、通水部１１がレーザー光のエネルギーを吸収し易くなるため、穿孔が容易となる。
【００８２】
灌水チューブ１０の製造方法は、特に限定されるものではないが、灌水チューブ１０の製造方法として、樹脂を原料として、円筒状のダイスを用いた押出し法で樹脂製の筒状チューブを形成した後、該筒状チューブに垂直散水孔１３及び非垂直散水孔１５を穿孔し、フィン部２１をヒートシール等によって形成する方法が挙げられる。また、灌水チューブ１０の製造方法として、樹脂を原料として、円筒の側面部にフィン形成用の型を有するダイスを用いた押出し法で樹脂製のフィンを有する筒状チューブを形成した後、該フィン付き筒状チューブに垂直散水孔１３及び非垂直散水孔１５を穿孔することによって製造する方法が挙げられる。灌水チューブ１０の製造方法として、所定の大きさに切断して得られた２枚の樹脂製の長尺原反シートに垂直散水孔１３及び非垂直散水孔１５を穿孔した後、これら２枚の長尺原反シートを重ね合わせ、幅方向両端部をヒートシールすることによってフィン部２１を形成する方法が挙げられる。
【００８３】
また、上記穿孔方法としては、例えば、通水部１１にレーザー光の照射を行うことが挙げられる。また、この他、ドリル、ポンチ、刃物、穿孔用針等を用いて穿孔を行う方法等も挙げられる。
なお、筒状のチューブを形成した後に穿孔する場合には、該筒状チューブ内に空気が存在し、筒状をなしている状態で、所定の位置に穿孔を行ってもよいし、筒状チューブを折り畳んだ状態で、レーザー光が反対側のシート部分に孔を開けないように、所定の位置に穿孔を行ってもよい。
また、２枚の原反シートを重ね合わせて幅方向両端部をヒートシールする場合には、ヒートシールする前に、各原反シートに穿孔を行うことが好ましく、このように穿孔を行うことによって、穿孔が容易となる。また、このような場合には、通常、筒状とされたときに表面となる側から、穿孔が行われるがこれに限らない。
【００８４】
上記の通り、本実施形態の灌水チューブ１０は、上記の形状の垂直散水孔１３が、上記の位置に配されるように通水部１１に形成されていることによって、灌水チューブ１０が１３０ｃｍ以上の高さに設置されて使用されたとき、灌水チューブ１０から遠くに離れた場所に適切に散水することが可能となる。
また、上記の形状の非垂直散水孔１５が、上記の位置に配されるように通水部１１に形成されていることによって、灌水チューブ１０が１３０ｃｍ以上の高さに設置されて使用されたとき、灌水チューブ１０の近くの場所に適切に散水することが可能となる。
従って、設置された場所から遠く離れた場所と、主散水側と反対側の領域を含む近くの場所との両方に適切に散水可能となる。また、灌水チューブ１０が１３０ｃｍ以上の高さに設置されて使用されたとき、農業用ハウス１内部での農業用機械を用いた作業が、灌水チューブ１０の影響を受けずに実施可能となる。
よって、灌水チューブ１０を農作業の邪魔にならない高所に設置された場所から天井に水滴が当たることなく遠く離れた場所と、近くの場所との両方に適切に散水可能となる。
【００８５】
また、本実施形態の灌水チューブ１０は、農業用ハウス１の壁部５ａ、５ｂまたはその近傍に配されて使用されている。
かかる構成によれば、灌水チューブ１０が設置された壁部５ａ、５ｂまたはその近傍から、遠くの場所まで連続均一散水が可能となる。例えば、図１のように、壁部５ａ、５ｂから、垂直散水孔１３によって、棟３の連結部分に位置する支柱７またはその近傍まで散水することが可能となる。また、非垂直散水孔１５によって、灌水チューブ１０が設置された壁部５ａ、５ｂの近く、および垂直散水孔１３が散水する遠距離領域までの中間領域が散水可能となる。
また、散水孔１３、１５の数や構造を調整することで、片側の壁５ａ、５ｂから対向壁部５ｂ、５ａまでの散水や、両側の壁５ａ、５ｂ近傍から散水してその間の領域を均一散水することも可能になる。
従って、このように配されることによって、灌水チューブ１０が、より散水に適したものとなる。
【００８６】
また、本実施形態の灌水チューブ１０においては、農業用ハウス１が、複数の棟３が繋がってなり、該複数の棟３の連結部分またはその近傍（ここでは連結部分に位置する支柱７またはその近傍）に配されている。
かかる構成によれば、垂直散水孔１３によって、遠くの場所まで散水可能となる。本実施形態では、非垂直散水孔１５によって、灌水チューブ１０が設置された連設部分またはその近傍から、この連結部分と隣り合う連結部分や、この連結部分と対向する壁部５ａ、５ｂ近くの場所まで均一な散水が可能となる
従って、このように配されることによって、灌水チューブ１０が設置された連結部分の散水側近傍から、遠くの場所だけでなく、通常散水出来ない連結部部分の両側に設置した灌水チューブ１０の間の領域まで散水可能となる。
よって、灌水チューブ１０が、より灌水に適したものとなる。
【００８７】
また、本実施形態の灌水方法は、上記灌水チューブ１０を用いて灌水を行う。
【００８８】
具体的には、上述の通り、固定部材９を介して灌水チューブ１０が設置された農業ハウス１において、不図示の給水部から灌水チューブ１０に水を供給することによって、灌水チューブ１０の垂直散水孔１３及び非垂直散水孔１５から水を噴出させて、灌水を行う。
【００８９】
灌水チューブ１０の通水部１１に通水されて膨らんでいる状態での通水部１１内の水の圧力は、０．０１ＭＰａ〜０．８ＭＰａが好ましく、０．０２ＭＰａ〜０．５ＭＰａがより好ましく、０．０４〜０．４ＭＰａがさらに好ましい。
【００９０】
このように、本実施形態の灌水方法によれば、灌水チューブ１０を用いて散水を行うことによって、灌水チューブ１０が設置された場所から遠く離れた場所と、近くの場所との両方に適切に散水可能となる。
【００９１】
また、本実施形態の灌水チューブ１０においては、
灌水チューブ１０が設置されて通水部１１の内部に通水されて膨らんでいる状態で、非垂直散水孔１５が、上記角度βが−１０°を超えて７０°以下の範囲に、さらに配されている。
【００９２】
かかる構成によれば、非垂直散水孔１５が、上記角度βが−１５０°以上−１０°以下の範囲となる位置と、上記角度βが−１０°を超えて７０°以下の範囲となる位置とに配されていることによって、より広範囲に均一に散水することができる。
【００９３】
また、本実施形態の灌水チューブ１０においては、
灌水チューブ１０が地面から１３０ｃｍ以上の高さに設置されたとき、灌水チューブ１０の直下から、主散水方向と反対の方向に５０ｃｍ離れた位置までの間の地面における平均散水強度が、上記直下から主散水方向に１５０ｃｍ離れた位置までの間の地面における平均散水強度に対して５〜５０％となるように形成されている。
【００９４】
かかる構成によれば、上記反対の方向の平均散水強度が、主散水方向の平均散水強度の５〜５０％であることによって、上記反対方向に向かう、有害な散水（ハウスの壁や、連棟ハウスの場合は隣接棟の作付け領域への過剰散水）を減らすことができる。
【００９５】
また、本実施形態の灌水チューブ１０においては、
農業ハウス１の互いに対向する端部５ａ、５ｂに灌水チューブ１０がそれぞれ設置されており、
上記所定のパターン内に、上記長手方向において垂直散水孔１３が少なくとも１つ、非垂直散水孔１５が垂直散水孔１３よりも多く配されており、
垂直散水孔１３の上記長手方向に沿った平均繰返し間隔をＭ１、非垂直散水孔１５の上記長手方向に沿った平均繰返し間隔をＭ２としたとき、下記数式（１）を満たすことが好ましい。
Ｍ１＞Ｍ２  ・・・・・（１）
【００９６】
かかる構成によれば、互いに対向し、所定パターン内に垂直散水孔が１つ以上、非垂直散水孔が前記垂直散水孔よりも多く配されてなる２つの灌水チューブから散水することによって、より広範囲に、且つ、均一に散水することが可能となる。
【００９７】
以上の通り、本実施形態によれば、灌水チューブ１０を農作業の邪魔にならない高所に設置された場所から天井に水滴が当たることなく遠く離れた場所と、近くの場所との両方に適切に散水可能な灌水チューブ１０及び灌水方法が提供される。
【００９８】
本実施形態の灌水チューブ及び灌水方法は、上記の通りであるが、本発明は、上記実施形態に限定されず、本発明の意図する範囲内において適宜設計変更されることが可能である。
【００９９】
例えば、上記実施形態では、所定のパターンにおいて非垂直散水孔１５が複数形成された態様を示すが、本発明においては、非垂直散水孔１５は、所定のパターンにおいて、通水部１１に１つ形成されていてもよい。
【０１００】
また、本発明においては、図１３に示すように、複数（ここでは２つ）の上記非垂直散水孔１５が互いに隣接し、各非垂直散水孔１５の外側開口の中心Ｓ５及び内側開口の中心Ｓ６（図５参照）を通る第４の仮想線Ｌ４が、通水部１１の外側において互いに交差するように配されていてもよい。かかる複数の非垂直散水孔１５は、これらから噴出された水がＸ状となることから、Ｘ孔と称される。
かかるＸ孔は、水圧により水を飛翔させる側において、その中心線（第４の仮想線Ｌ４）が交わるよう形成されている隣り合う複数の散水孔の集合全体を指す。
【０１０１】
かかるＸ孔においては、通水部１１を折り畳んで平面状態としたとき、通水部１１の厚みＪ（ｍｍ）と、隣接する上記第４の仮想線Ｌ４が交わる点Ｒとを結ぶ高さ（最短距離）ｈ（ｍｍ）とが、式０．５×Ｊ（ｍｍ）＜ｈ（ｍｍ）＜Ｊ＋５０（ｍｍ）の関係を満たすように、各内周面１５ａが形成されている。
【０１０２】
また、このようなＸ孔は、上記垂直散水孔１３と上記非垂直散水孔１５との組み合わせによって形成されていてもよい。この場合、例えば、垂直散水孔１３が複数配され、このうち少なくとも１つの垂直散水孔１３が、上記角度αが−１０°以上４０°以下の範囲内であり、残りの少なくとも１つの垂直散水孔１３が非垂直散水孔１５と共にＸ孔を形成するような態様が採用され得る。また、この場合において、非垂直散水孔１５が複数配され、このうち少なくとも１つの非垂直散水孔１５が、上記角度βが−１５０°以上−１０°以下の範囲内であり、残りの少なくとも１つの非垂直散水孔１５が、上記残りの垂直散水孔１３と共に、Ｘ孔を形成するような態様が採用され得る。また、Ｘ孔を形成する垂直散水孔１３及び非垂直散水孔１５は、角度α及び角度βが任意の角度となる位置において形成され得る。
なお、２つの非垂直散水孔１５がＸ孔を形成している場合、該Ｘ孔の配置は、これら２つの非垂直散水孔１５の中心で決定される。垂直散水孔１３と非垂直散水孔１５とがＸ孔を形成している場合、該Ｘ孔の配置は、これら垂直散水孔１３と非垂直散水孔１５との中心で決定される。
【０１０３】
また、灌水チューブ１０の表面への垂線と、非垂直散水孔１５の中心線（第４の仮想線Ｌ４）とによって形成される面が、灌水チューブ１０の長手方向となす角度は、特に限定されない。
【０１０４】
また、垂直散水孔１３及び非垂直散水孔１５の穿孔形状が、灌水チューブ１０の内側から外側に向かって広がっているか、外側から内側に向かって広がっているかは問わない。
【０１０５】
また、１つのＸ孔を形成する複数の散水孔は、散水側で衝突する水が飛び出す２つ以上の孔すべてを含む。Ｘ孔を形成するそれぞれの散水孔の直径は、各散水孔ごとに個別に評価され、上記垂直散水孔１３または非垂直散水孔１５と同様に設定され得る。
【０１０６】
また、本発明においては、所定パターンにおいて、上記角度αが−１０°以上４０°以下である範囲内に少なくとも１つの垂直散水孔１３、及び、上記角度βが−１５０°以上−１０°以下となる範囲内に少なくとも１つの非垂直散水孔１５が配されていれば、例えば、該所定パターンにおいて、上記角度αの範囲以外の角度、及び、上記角度βの範囲以外の角度に、他の少なくとも１つの垂直散水孔１３及び／または非垂直散水孔１５が形成されていてもよい。
【０１０７】
また、上記実施形態では、連棟の農業用ハウス１について説明したが、本発明においては、農業用ハウスは、図１２に示すような単棟の農業用ハウス１でも良い。
ここで、単棟の農業用ハウス１では、図１２に示すように一般に壁面５ａ、５ｂを構成している両側の支柱は内側に傾斜しているため、高所に設置する場合、支柱の上部に設置する必要があり、支柱下部よりかなり内側に設置することになる。この場合、主散水側のみに水が噴出する構造では設置位置から壁側の広い領域への散水が不可能となり、作付面積の大幅減少を招くおそれがある。
しかし、上記灌水チューブ１０を用いることによっても、単棟の農業用ハウス１の支柱下部近くを実質的に散水することができ、生産性の低下を防止する。
また、図１２では、垂直散水孔１３によって、壁部５ａ、５ｂと対向する他の壁部５ｂ、５ａ近くの遠距離領域が散水可能となる。
【実施例】
【０１０８】
次に実施例を挙げて本発明を更に詳しく説明するが、本発明はこれらに限定されるものではない。【０１０９】
以下の参考例、実施例及び比較例の散水特性の評価を、以下の手順による実験に基づいて行った。【０１１０】
・灌水チューブの作製
低密度ポリエチレンとカーボンブラックとを、カーボンブラックが総重量の２重量％となるように混合した混合物を、原料として使用した。
Ｔダイ押出機を用い、上記混合物をＴダイ押出機に投入して、５５０μｍ厚みのシートに加工し、得られたシートを所定の幅となすように切断してシート片を形成した後、チューブを構成する二枚のシート片の所定の位置に、所定の構造の孔を、ＹＡＧレーザーを用いて穿孔することによって形成した。こうして得られた孔付きシート片を二枚重ね合わせ、幅方向両端部のシール間距離が５３．４ｍｍになるように、両側をヒートシールすることによって、表１に示す所定の孔形状を有する、散水孔が所定の位置に穿孔されてなる灌水チューブを、製造した。また、ヒートシールによって、幅方向両端部にフィン部が形成された。このときのヒートシールのシール幅（フィン部の幅）を、４．５ｍｍとした。こうして製造された灌水チューブの内径（直径）は、通水部に水を注加したとき、３４ｍｍφであった。【０１１１】
ＹＡＧレーザーによる垂直散水孔及び非垂直散水孔の穿孔は、平板上でシート片の表面に対して所定の角度になるようにシート片にレーザーを照射することによって行った。また、非垂直散水孔は、ヒートシールによって２つのシート片が筒状とされて灌水チューブとされたときに、灌水チューブの長手方向に垂直な断面に、非垂直散水孔の中央を通過する仮想線（第４の仮想線）が含まれるように、より具体的には、該仮想線が灌水チューブの径方向に沿うように穿孔することによって、形成した。【０１１２】
（参考例）
参考例では、垂直散水孔及び非垂直散水孔を、単孔として評価した。具体的には、表１に示す条件となるように、垂直散水孔または非垂直散水孔を１箇所に設けた参考例１〜３９の灌水チューブを作製した後、作製した灌水チューブを、表１に示す高さにそれぞれ設置した。なお、参考例の各散水孔は、いずれも灌水チューブの長手方向に垂直な断面に、散水孔の外側開口の中心と内側開口の中心が存在するように穿孔して形成された。設置した灌水チューブの一端を封止し、他端に、ポンプで一定の圧力に昇圧した水を供給し、散水孔からの散水特性を評価した。【０１１３】
【表１】
2016136988.tif 000003
【０１１４】
具体的には、各穿孔形状および穿孔位置により決定される散水特性（散水距離、散水ピーク位置、散水強度標準偏差）の指標を、以下の方法で評価した。【０１１５】
・散水仰角
前述したようにして、散水仰角（Ｄ）を求めた。【０１１６】
・最高上昇高さ
灌水チューブからの散水が、該灌水チューブよりも上方に飛び出す散水孔について、灌水チューブから噴出した水滴の最高到達高さを測定し、この最高到達高さと、灌水チューブの設置高さとの差（（最高到達高さ）−（設置高さ））を、最高上昇高さ（表１では「上昇」と示す。）として算出した。
ここで、最高上昇高さが１７０ｃｍを超える場合、天井部の最高の高さが３００ｃｍである農業用ハウス内では、該壁部の１３０ｃｍの高さに灌水チューブを設置したときに、天井に当たるおそれがあるため、好ましくない。
そこで、評価基準を以下のように定めた。なお、設置位置から下向きに散水される場合には、噴出した水が天井に衝突することがないため、判定しなかった（表１において「−」で示す。）。
好適          ◎：１４０ｃｍ未満
良            ○：１４０ｃｍ以上１７０ｃｍ未満
不可          ×：１７０ｃｍ以上【０１１７】
・上昇高さ（ａ）
参考例の各形状の散水孔から噴出した水柱または水滴の流れの内、最高到達高さから灌水チューブの設置位置の高さを引いた値を、上昇高さとして求めた。ただし、散水仰角が０°以下の場合は、空欄とした。【０１１８】
・ピーク縦位置（ｂ）
参考例の各形状の散水孔から噴出した水柱または水滴の流れの内、最高到達高さに達した点の灌水チューブからの水平距離（ｃｍ）を示す。
ただし、散水仰角が０°以下の場合は、空欄にした。【０１１９】
・（ａ）／（ｂ）比
ハウスの壁面または連棟ハウスの境界部の支柱上部に灌水チューブを取り付けたとき、天井に当たる可能性を評価する値として、ピーク縦位置（ｂ）に対する上昇高さ（ａ）の比として、（ａ）／（ｂ）比を求めた。下記に評価基準を示す。
０．８以上            ：×
０．６５以上０．８未満：○
０．６５未満          ：◎
・評価
最高ピークの評価は、最高上昇高さの評価と（ａ）／（ｂ）比の評価について、悪い方の評価を記入した。【０１２０】
・散水強度
灌水チューブから散水される水滴が、その周辺の地面上に降った散水強度を、所定の区画における１時間当たりの散水量（ｍｍ／ｈｒ）によって評価した。
地上の各区画を、灌水チューブの幅方向（灌水チューブに垂直な方向）において灌水チューブからの距離を縦距離とし、灌水チューブの長手方向（灌水チューブに沿う方向）において散水孔からの距離を横距離として表し、縦距離を５つに分割して形成した。具体的には、縦距離を５つの領域に分割した５領域を、長距離領域（４００ｃｍ以上）、中距離領域（１５０ｃｍ以上４００ｃｍ未満）、プラス（＋）側近距離領域（０ｍ以上１５０ｃｍ未満）、マイナス（−）側近距離領域（−５０ｃｍ以上０ｍ未満）、及び、マイナス（−）側中距離（−５０ｃｍ未満）とした。
また、上記各区画の散水強度のうち、同じ縦距離に位置する横領域の散水強度の平均値を、それぞれの縦距離の散水強度（縦散水強度）とした。【０１２１】
・縦方向散水ピーク位置
上記縦方向の上記縦散水強度の分布から、灌水チューブに垂直な方向で最も散水強度が高い位置を求め、この位置の灌水チューブからの距離を、縦方向散水ピーク距離とした（表１では、「ピーク距離」と示す。）。【０１２２】
・縦方向の散水強度の標準偏差
縦方向の上記縦方向の散水強度の分布から、灌水チューブの幅方向（水平方向であって、灌水チューブの長手方向と垂直な方向）における散水強度の積分値が５０％の中央値をとる距離（平均距離）を求めた。
そして、縦方向の散水強度分布と、縦方向の散水強度の中央値をとる距離領域とから、縦方向の散水強度の標準偏差を求めた（表１では、「標準偏差」と示す。）。なお、標準偏差が大きいと、縦方向に広い領域に散水が広がっていることを示し、標準偏差が小さいと狭い領域に散水が集中していることを示す。【０１２３】
・散水適性
各穿孔形状および穿孔位置によって、散水がカバーする範囲の広がりを、散水適性として評価した。
具体的には、各区画のうち、散水強度が１ｍｍ／ｈｒ以上の区画について、上記縦方向の５つの領域ごとの散水強度を、下記表２に示す判定基準で判定した。これによって、縦方向におけるどの領域での散水適性に優れているのかを評価することができる。【０１２４】
【表２】
2016136988.tif 000004
【０１２５】
・最大縦散水幅
単一の孔の縦方向の散水状態を表す指標の一つとして、最大縦散水幅を求めた。この最大縦散水幅とは、縦方向の散水強度が１ｍｍ／ｈｒ以上である領域の最大幅を言う。最大縦散水幅が広いほど、灌水チューブから垂直な方向に広域散水が可能であることを示す。
以下の判定基準で、最大縦散水幅を判定した。
好適        ◎：２００ｃｍ以上
良好        ○：４０ｃｍ以上２００ｃｍ未満
不良        ×：４０ｃｍ未満【０１２６】
・最大横散水幅
単一の孔の横方向の散水状態を表す指標の一つとして、最大横散水幅を求めた。この最大横散水幅とは、横方向の散水強度（横散水強度）が１ｍｍ／ｈｒ以上である領域の最大幅を言う。最大横散水幅が広いほど、灌水チューブと平行な方向に広域散水が可能であることを示す。
以下の判定基準で、最大横散水幅を判定した。
良        ○：５０ｃｍ以上
不良      ×：５０ｃｍ未満【０１２７】
上記について評価した結果を表１に示す。その結果、以下のことがわかった。【０１２８】
○垂直散水孔（参考例１〜１０）について【０１２９】
（最高上昇高さについて）
参考例１〜５の結果、垂直散水孔の穿孔位置の角度αが４０°を超える場合、農業用ハウスの天井に水滴が当たるため、適切ではないことがわかった。また、好ましい穿孔位置の角度αの上限は４０°以下、より好ましくは３５°以下、最も好ましくは３０°以下であることがわかった。【０１３０】
（散水距離について）
参考例２〜７の結果、散水カバー範囲の（＋）側中長距離領域及び標準偏差に示されるように、垂直散水孔の穿設位置の角度αが−１０〜４０°の範囲では、（＋）側中距離から（＋）側長距離にかけて天井に当たることなく広い範囲で均一に散水できることがわかった。また、実験を畑地上で行った場合、水滴による地面の浸食痕は認められなかった。
一方、参考例８〜１０に示されるように、穿設位置の角度αが−３０°以下では、散水域が（＋）側中距離から（＋）側近距離にシフトし、且つ、標準偏差が極端に小さくなり、その結果、散水後の地面に水滴による浸食痕が見受けられたため、好ましくないことがわかった。
以上より、垂直散水孔の穿設位置の角度αは、−１０〜４０°の範囲の場合に、良好な散水性能を示し、（＋）側中長距離領域の広域散水に、良好な性能を発揮することがわかった。
また、参考例５、１２の結果、垂直散水孔の穿設位置の角度αが−１０〜４０°の範囲では、灌水チューブを１３０ｃｍに設置した場合と１８０ｃｍに設置した場合で、垂直散水孔からの散水特性（平均距離、標準偏差）がほとんど変わらないことがわかった。【０１３１】
○非垂直散水孔（参考例１３〜３３、３８、３９）について
参考例１３の結果、非垂直散水孔（Ｘ孔と区別するため、「斜め孔」と呼ぶ。）の角度βが１０°となる位置に穿設した場合、同じ位置に穿設した垂直散水孔（参考例５）と比較して、明らかに散水距離が短くなった。また、参考例１５、１６の結果、穿孔位置の角度βが−３０°〜−６０°では、（＋）側近距離領域だけでなく（−）側近距離領域も散水できることがわかった。参考例１７〜１９の結果、角度βが−８５°未満では、散水領域が（−）側５０ｃｍよりさらに遠くになることがわかった。この結果、角度βが−８５°以上であることが、水滴が農業用ハウスの壁部に衝突することをより回避し得る点を考慮すれば、好ましいことがわかった。また標準偏差の結果、同じ位置に穿設した垂直散水孔（参考例７〜９）と比べると、穿設位置の角度βが−３０°〜−８５°の間では、明らかに斜め孔の標準偏差の方が大きく（参考例１５〜１７）、広範囲に散水可能であることがわかった。【０１３２】
参考例３１〜３３の結果、穿孔の角度θ２を５５°に設定して穿孔した斜め孔では、垂直散水孔（参考例４〜６）に比べて、穿設位置の角度βが０〜２５°の間で散水距離が短くなり（散水領域が（−）側にシフトし）、（＋）側中距離領域を散水できることがわかった。また、垂直散水孔に対して散水距離が短いにもかかわらず垂直散水孔と同程度の良好な広がりを示すこともわかった。
また、穿孔の角度θ２が３５°で穿設位置１０°の斜め孔（参考例１３）と比較すると、穿孔の角度θ２が５５°で穿設位置１０°の斜め孔（参考例３２）の方が、より遠く広い範囲に散水できた。
これら参考例３１〜３３の斜め孔は、角度βが−１５０〜−１０°の範囲以外の位置に穿設されており、（−）側近距離領域には散水されていないが、（＋）側中距離領域に散水することが可能であることから、これら斜め孔を灌水チューブの適当な位置に形成することによって、農業用ハウス内の広範囲をより均一に散水できることがわかった。すなわち、角度βが−１５０〜−１０°の範囲以外の位置に非垂直散水孔を形成することが均一に散水するうえで効果的であることがわかった。【０１３３】
非垂直散水孔１５の内側開口の中心Ｓ６’が仮想平面Ｐ’に対して時計回り側にある参考例２０〜２６の結果、穿孔の角度θ２’が１４５°の斜め孔では、穿設位置の角度βが−５０°〜−１２０°（Ｘ−Ｙ座標の第三象限及び第四象限）の範囲で、（＋）側近距離領域及び（−）側近距離領域の両方を、バランスよく散水することができた。角度βが−１５０°未満の範囲では、（−）側中距離への散水が多くなり過ぎ、好ましくないことがわかった。
以上の散水では、いずれの条件においても実験を畑地上で行った場合、散水後の地面上に水滴による浸食痕は見られなかった。
また、これらの参考例によって、灌水チューブ上での穿設位置の角度βが−１５０°〜−１０°の範囲で適当な穿孔角度θ２’を有する斜め孔を形成すれば、（＋）側近距離領域および（−）側近距離領域をバランスよく散水できることが示された。【０１３４】
参考例１６と参考例２７の結果、高さ１８０ｃｍに対して高さ１３０ｃｍに設置した場合、やや標準偏差が小さくなることから、散水範囲が狭くなっている傾向にあった。しかし、このことは十分に許容範囲であり、角度βの適性範囲の中で設置高さが散水特性に及ぼす影響は、ほとんどなかった。【０１３５】
○非垂直散水孔（参考例３４〜３７）について
参考例３４〜３７は、隣接した２つの斜め孔（Ｘ孔）について示す。
表１に示すように、Ｘ孔は、その２つの散水孔の開口面積の合計が、参考例１〜３３の１つの散水孔（垂直散水孔及び斜め孔の各孔）の開口面積と等しくなるように、それぞれの孔径（直径）が０．２８ｍｍになるように穿孔した。【０１３６】
参考例３４〜３７の結果、斜め孔と類似の散水特性を示した。すなわち、上記した斜め孔と同様、角度βが−１５０〜−１０°の範囲となるようにＸ孔を形成することによって、（＋）側近距離及び（−）側近距離の散水を良好に行うことができることがわかった。また、同じ位置に穿設した斜め孔と比べると、やや散水強度の標準偏差が大きいことから、Ｘ孔の方が好ましいことがわかった。【０１３７】
参考例３４、３７の結果、角度βが−１５０〜−１０°の範囲では、高さ１８０ｃｍに設置した場合と高さ１３０ｃｍに設置した場合とで、標準偏差がほぼ同じであることから、散水範囲はほとんど同じであり、また、設置高さが散水強度に及ぼす影響は認められなかった。【０１３８】
＜実施例・比較例＞
・散水強度分布
上記単孔の散水特性の評価に用いたのと同じ散水評価実験を実施し、縦方向の散水強度が１ｍｍ／ｈｒ以上の区画についてそれぞれ散水強度を測定し、縦方向の散水強度分布を作図して、灌水チューブの散水の広域性及び均一性を評価した。
上記単孔の特性を評価した結果、灌水チューブの幅方向（縦方向）における各単孔からの水滴の到達距離及び最大縦散水幅は、孔形状及び穿設位置によって著しく変化した。これに対し、灌水チューブの長手方向の最大横散水幅は、孔形状及び穿孔位置が変化しても６５ｃｍ〜８０ｃｍに収まり、ほとんど差異が無かった。これは、灌水チューブに平行な横方向の散水均一性は、孔形状や穿設位置に依存しないことを意味する。このことから、１の所定のパターン内に、縦方向の散水均一性を実現できる複数の散水孔の組合せを適宜選択して、各散水孔の最大横散水幅よりも十分に小さい間隔となるように各散水孔の横方向の間隔を調整すれば、横方向の散水状態を均一にできることが分かったため、実施例及び比較例では、縦方向の散水強度分布のみを評価した。なお、実施例及び比較例の各散水孔は、いずれも灌水チューブの長手方向に垂直な断面に、散水孔の外側開口の中心と内側開口の中心が存在するよう穿孔した。【０１３９】
・最大散水強度偏差率
実施例・比較例では、複数の垂直孔・非垂直孔を組み合わせて散水チューブを製造した場合の縦方向の散水強度分布の均一性について最大灌水強度偏差率を用いて評価した。
上記目的のため、縦方向に等間隔で取った各領域の平均散水強度の内、散水のあった領域をすべて含む連続領域のみを抽出して散水のあった部分の平均散水強度と散水のあった領域の中の最大散水強度から次式で表される最大散水強度偏差率を求めた。
最大散水強度偏差率＝（最大散水強度−平均散水強度）／平均散水強度
最大散水強度偏差率は、その値が小さいほど散水された部分の散水均一性が高く、値が大きいほど平均からのズレが大きい部分があり、均一性が悪いことを示す。【０１４０】
＜比較例＞【０１４１】
比較例１−１（０°設置）
孔径（直径）をφ０．４ｍｍに統一した以外は、特開２０００−１７６３１９号公報の表２と同様の位置に、１パターン内に垂直散水孔Ａと、非垂直散水孔Ｂ、非垂直散水孔Ｃとを、この順に５ｃｍ間隔で繰返し穿設して、下記表３に示すような灌水チューブＢ１を作製した。これを１８０ｃｍの高さに設置して、０．１２ＭＰａで水を供給して散水実験を行った。このときの結果を表６に示す。また、縦方向の散水強度分布を図１４（ａ）に示す。この結果、二山のピークが出現し、谷部の落差も大きい。実施例に対する最大散水強度偏差率は約２倍であり、灌水の均一性はかなり劣ることを示した。また散水範囲も著しく狭い。また、斜め孔Ｃの角度βが１００°であるため、上記した参考例２９に示すように、最高上昇高さが１８０ｃｍまで達することになることから、水滴が天井に衝突するものと考えられる。【０１４２】
比較例１−２（９０°回転）
灌水チューブＢ１を９０°（＋）方向に回転させて、散水孔を、該散水孔が下記表３で示す角度となるようにして設置したこと以外は、比較例１−１と同条件で散水を行った。このときの結果を表６に示す。また、縦方向の散水強度分布を図１４（ｂ）に示す。この結果、散水強度範囲は広い領域であるが、チューブ元の散水強度が最も高く主散水側に段階的に散水強度が低下する分布を示し、反散水側への散水は無かった。最大散水強度偏差率は、実施例に対して、約１．３倍高く散水強度分布の均一性が悪化していた。また、垂直散水孔Ａの角度αが１２５°（５５°）になるため、上記した参考例１によれば、水滴が灌水チューブから上方に２００ｃｍも上昇することになるため、天井に衝突するものと考えられる。【０１４３】
比較例１−３（１８０°回転）
灌水チューブＢ１を１８０°（＋）方向に回転させて、散水孔が下記表３で示す角度となるようにして設置したこと以外は、比較例１−１と同条件で散水を行った。かかる灌水チューブの配置は、特開２０００−１７６３１９号公報の図２３に示される配置に相当する。このときの結果を表６に示す。また、縦方向の散水強度分布を図１４（ｃ）に示す。この結果、縦方向の散水強度分布は、比較例１−１、比較例１−２では見られなかった狭く且つ明瞭な二つのピークが見られて、散水範囲が著しく狭くなる。最大散水強度偏差率は顕著に高く、広範囲の散水均一性を得ることができないことがわかった。また、垂直孔Ａによる散水は、着地時に土壌損傷を与えることがわかった。【０１４４】
比較例２
圧力を０．１２ＭＰａから０．２ＭＰａに上昇させたこと以外は比較例１−３と同様にして、散水特性を評価した。このときの結果を表６に示す。また、縦方向の散水強度分布を図１５に示す。この結果、縦方向の散水強度分布は、比較例１−３よりもやや広がり最大散水強度偏差率も若干下がるものの、比較例１−３と同様の傾向が見られた。【０１４５】
【表３】
2016136988.tif 000005
【０１４６】
比較例３−１
散水孔径をφ０．４ｍｍに統一した以外は、特開２０００−１７６３１９号公報の表１と同様の位置に、１パターン内に垂直散水孔Ａと、非垂直散水孔Ｂ、非垂直散水孔Ｄとを、この順に５ｃｍ間隔で繰返し穿設して、下記表４に示すような灌水チューブＢ２を作製した。これを１８０ｃｍの高さに設置して、０．１２ＭＰａで水を供給して散水実験を行った。このときの結果を表６に示す。また、縦方向の散水強度分布を図１６（ａ）に示す。この結果、顕著な二山ピークを示し、実施例に比べて散水範囲は狭く、最大灌水強度偏差率も大きく均一散水性が悪いことを示した。また、主散水側と反対の方向への散水も無かった。【０１４７】
比較例３−２
灌水チューブＢ１を９０°（＋）方向に回転させて、散水孔が下記表４で示す角度となるようにして設置したこと以外は、比較例３−１と同条件で散水を行った。このときの結果を表６に示す。また、縦方向の散水強度分布を図１６（ｂ）に示す。この結果、顕著な二山を示し、最大散水強度偏差率も実施例に比べ著しく高く散水均一性は悪かった。垂直散水孔Ａの角度αが１２５°（５５°）になるため、上記した参考例１によれば、水滴が灌水チューブから上方に２００ｃｍも上昇することになるため、天井に衝突するものと考えられる。
比較例３−３
灌水チューブＢ１を１８０°（＋）方向に回転させて、散水孔が下記表４で示す角度となるようにして設置したこと以外は、比較例３−１と同条件で散水を行った。このときの縦方向の散水強度分布を図１６（ｃ）に示す。散水範囲は比較的広いが、縦方向の散水強度分布は大きく、最大散水強度偏差率も著しく高かった。仮に孔を左右対称になるよう増設して評価を実施しても散水強度分布が大きく不均一となることは明瞭で、本願目的を達することができないことがわかった。【０１４８】
【表４】
2016136988.tif 000006
【０１４９】
（実施例）
実施例では、表５に示す位置に垂直孔、斜め孔、及び、Ｘ孔を組合せ、水の供給側から穿孔１〜穿孔６の順に、５ｃｍ間隔で穿孔した灌水チューブを作製した。設置高さを２２０ｃｍ、１８０ｃｍと１３０ｃｍとして参考例と同様の方法で散水強度を調べた。【０１５０】
（実施例１−１）
灌水チューブの設置高さが１３０ｃｍの場合の結果を、表６に示す。また、縦方向の散水強度分布を図１８（ａ）に示す。
下記表６に示すように、散水範囲の若干の低下と１８０ｃｍ付近の散水強度の低下によりやや均一性が低下しているが許容範囲で実施例１−２に類似した散水パターンを示して、実施例１と同様の使用が可能であることがわかった。【０１５１】
（実施例１−２）
実施例１−１で使用したチューブを高さ１８０ｃｍに設置したときの結果を、表６に示す。また、縦方向の散水強度分布を図１８（ｂ）に示す。
灌水チューブからの縦距離で、０〜２５０ｃｍの間はほぼ２０ｍｍ／ｈｒの均一な散水強度分布を示し、２５０ｃｍ〜４５０ｃｍにかけて散水強度が距離に反比例して漸減している。最大散水強度偏差率は０．７５で比較例に比べると顕著に小さく、散水範囲も広いことがわかった。
ハウス壁面の片側のみに灌水チューブを設置して農業用ハウス内を均一に散水したい場合、２５０ｃｍ〜４５０付近に比較的高い散水強度が得られるため、クレームの範囲の垂直散水孔を適宜増設することで均一散水の目的を達成することができる。
また、最近の一棟の間口が７００ｃｍ程度と広いハウス内の均等灌水に対応するには、同様の灌水チューブをハウスの両側に設置することで均等に散水することが可能である。【０１５２】
（実施例１−３）
実施例１−２で使用したチューブを高さ２２０ｃｍに設置したとき結果を、表６に示す。また、縦方向の散水強度分布を図１８（ｃ）に示す。下記表６に示すように、散水範囲はより広くなり、最大散水強度偏差率は実施例１−１〜１−３と同レベルで、マイナス側分率は大きくなっていることがわかった。これらは、設置高さを上方に上げるほどより広範囲を均一散水できていることを示している。【０１５３】
また、実施例１−１〜１−３のいずれも、（−）側にも散水されており連棟用農業ハウスの境界支柱に取り付けて使用した場合、隣の棟の側壁に取り付けたチューブからの散水の合成により、境界付近もハウス中央側とほぼ同じ灌水強度で散水できることがわかる。【０１５４】
（比較例４）
実施例１−１で使用したチューブを高さ１００ｃｍに設置したときの結果を、表６に示す。また、縦方向の散水強度分布を図１７に示す。設置高さが低いことに起因して、各散水孔から噴出する水滴の広がりが不十分なため、縦方向の散水強度分布では３つの顕著なピークが発生している。これは、均一散水分布が悪いことを示しており、均一灌水という目的を達することができないことがわかる。【０１５５】
（実施例２）
実施例１−１で１８０ｃｍ高さに設置したデータを用いて、農業用ハウスの両側から対向して散水した場合の重ね合わせ散水強度分布を示す。灌水チューブの設置間隔を６７０ｃｍで、対向して散水するとして重ね合わせた。結果を表６に、平均散水強度の結果を図１９に示す。この場合、散水範囲は７５０ｃｍで最大散水強度偏差率は０．２６であり、実施例１−１〜実施例１−３に対しても著しく小さい値を取り、広域を均一に散水できることを示した。【０１５６】
（実施例３）
灌水チューブを農業用ハウス壁の支柱に設置した場合を想定して、１５０ｃｍ間隔で配置した支柱パイプに、特許文献２の図１０に示されるような２つのフィンを掴んで設置方向を決定する基本構造を持つ治具を固定し、これに２つのフィンが鉛直に並ぶよう灌水チューブを縦置き支持して設置した。０．１２ＭＰａで注水後、チューブの撓みを灌水チューブから縦方向に離れた場所から撮影した。結果を図２０に示す。図２０に示すように、中央部が支持部に対して５ｍｍ程度撓んでいる事を確認した。【０１５７】
（比較例５）
実施例３の固定用治具を取り付けた支持パイプを９０°回転させて、２つのフィンが水平方向に並ぶように灌水チューブを横置きに支持して設置する以外、実施例３と同じ条件で撓みを評価した。結果を図２１に示す。図２１に示すように、支持部の中間付近で灌水チューブが大きく撓み、撓み量はチューブの中心付近で９３ｍｍあった。実施例３に比べると、散水分布が大きく変化することが容易に類推できる。【０１５８】
【表５】
2016136988.tif 000007
【０１５９】
【表６】
2016136988.tif 000008
【符号の説明】
【０１６０】
１：農業用ハウス、３：棟、５ａ、５ｂ：壁部１０、７：支柱、９：固定部材、１０：灌水チューブ、１１：通水部、１３：垂直散水孔、１３ａ：内周面、１５：非垂直散水孔、１５ａ：内周面、１７：シート部材、２１：フィン部
【図１】
2016136988.tif 000009
【図２】
2016136988.tif 000010
【図３】
2016136988.tif 000011
【図４】
2016136988.tif 000012
【図５】
2016136988.tif 000013
【図６】
2016136988.tif 000014
【図７】
2016136988.tif 000015
【図８】
2016136988.tif 000016
【図９】
2016136988.tif 000017
【図１０】
2016136988.tif 000018
【図１１】
2016136988.tif 000019
【図１２】
2016136988.tif 000020
【図１３】
2016136988.tif 000021
【図１４】
2016136988.tif 000022
【図１５】
2016136988.tif 000023
【図１６】
2016136988.tif 000024
【図１７】
2016136988.tif 000025
【図１８】
2016136988.tif 000026
【図１９】
2016136988.tif 000027
【図２０】
2016136988.tif 000028
【図２１】
2016136988.tif 000029
【国際調査報告】
2016136988.tif 000030
2016136988.tif 000031
2016136988.tif 000032
2016136988.tif 000033